(57)【要約】  本開示の実施形態は、ビーム管理に用いられる方法、デバイス及びコンピュータ可読媒体に関する。例示的実施形態において、第１ネットワーク機器において実現する方法が提供される。該方法によれば、第１ネットワーク機器からの第１グループのビームを決定するための、端末機器に用いられる第１グループのリソースを決定する。第１グループのリソースは、第２ネットワーク機器からの第２グループのビームを決定するための第２グループのリソースと異なり、第２グループのリソースは第２ネットワーク機器により端末機器に設定される。端末機器に第１グループのリソースを設定する。第１グループのビームを使用して、第１グループのリソースにて端末機器に複数の同期及び／又は参照信号を送信する。【選択図】図１２
2021534604.tif 000002
【特許請求の範囲】
【請求項１】
第１ネットワーク機器からの第１グループのビームを決定するための、端末機器に用いられる第１グループのリソースを決定することと、
前記端末機器に前記第１グループのリソースを設定することと、
前記第１グループのビームを使用して前記端末機器に前記第１グループのリソースにおける複数の同期及び／又は参照信号を送信することと、を備え、
前記第１グループのリソースは、第２ネットワーク機器からの第２グループのビームを決定するための第２グループのリソースと異なり、前記第２グループのリソースは前記第２ネットワーク機器により前記端末機器に設定される、前記第１ネットワーク機器において実現される方法。
【請求項２】
前記第１グループのリソースを決定することは、
前記第１グループのリソース及び前記第２グループのリソースを時間領域、周波数領域及び／又はコード領域における異なるリソースの割当に関連付けるように前記第１グループのリソースを決定することを備える、請求項１に記載の方法。
【請求項３】
前記第１グループのリソースを決定することは、
前記第１グループのリソース及び前記第２グループのリソースを異なるセルＩＤに関連付けるように前記第１グループのリソースを決定することを備える、請求項１に記載の方法。
【請求項４】
前記第１グループのリソースを決定することは、
前記第１グループのリソース及び前記第２グループのリソースを時間領域における異なるオフセットに関連付けるように前記第１グループのリソースを決定することを備える、請求項１に記載の方法。
【請求項５】
前記第１グループのリソースを決定することは、
前記第１グループのリソース及び前記第２グループのリソースを周波数領域における異なるオフセットに関連付けるように前記第１グループのリソースを決定することを備える、請求項１に記載の方法。
【請求項６】
前記第１グループのリソース及び前記第２グループのリソースは、同期信号ブロック（ＳＳＢ）リソースであり、同一のＳＳＢリソースセットに含まれる、請求項１に記載の方法。
【請求項７】
前記第１グループのリソース及び前記第２グループのリソースは、同期信号ブロック（ＳＳＢ）リソースであり、異なるＳＳＢリソースセットに含まれる、請求項１に記載の方法。
【請求項８】
前記第１ネットワーク機器は、第１送受信ポイント（ＴＲＰ）であり、前記第２ネットワーク機器は、第２ＴＲＰであり、前記第１ＴＲＰ及び前記第２ＴＲＰが同一の基地局に結合される、請求項１に記載の方法。
【請求項９】
第１ネットワーク機器からの第１グループのビームを決定するための第１グループのリソースを設定することに応じて、前記第１グループのリソースにて送信された複数の同期及び／又は参照信号を検出することにより、前記第１グループのビームに関連付ける第１グループの参照信号受信電力（ＲＳＲＰ）を決定することと、
前記第１ネットワーク機器に前記決定の結果を示すこと、を備え、
前記第１グループのリソースは、第２ネットワーク機器からの第２グループのビームを決定するための第２グループのリソースと異なり、前記第２グループのリソースは第２ネットワーク機器により端末機器に設定される、前記端末機器において実現される方法。
【請求項１０】
前記第１グループのリソース及び前記第２グループのリソースは、時間領域、周波数領域及び／又はコード領域における異なるリソースの割当に関連付けられる、請求項９に記載の方法。
【請求項１１】
前記第１グループのリソース及び前記第２グループのリソースは、異なるセルＩＤに関連付けられる、請求項９に記載の方法。
【請求項１２】
前記第１グループのリソース及び前記第２グループのリソースは、時間領域における異なるオフセットに関連付けられる、請求項９に記載の方法。
【請求項１３】
前記第１グループのリソース及び前記第２グループのリソースは、周波数領域における異なるオフセットに関連付けられる、請求項９に記載の方法。
【請求項１４】
前記第１グループのリソース及び前記第２グループのリソースは、同期信号ブロック（ＳＳＢ）リソースであり、同一のＳＳＢリソースセットに含まれる、請求項９に記載の方法。
【請求項１５】
前記第１グループのリソース及び前記第２グループのリソースは、同期信号ブロック（ＳＳＢ）リソースであり、異なるＳＳＢリソースセットに含まれる、請求項９に記載の方法。
【請求項１６】
前記第１ネットワーク機器は、第１送受信ポイント（ＴＲＰ）であり、前記第２ネットワーク機器は、第２ＴＲＰであり、前記第１ＴＲＰ及び前記第２ＴＲＰが同一の基地局に結合される、請求項９に記載の方法。
【請求項１７】
また、前記第２グループのリソースにて送信された複数の同期及び／又は参照信号を検出することにより、前記第２グループのビームに関連付ける第２グループのＲＳＲＰを決定することをさらに備える、請求項９に記載の方法。
【請求項１８】
前記第１ネットワーク機器に前記決定の前記結果を示すことは、
前記第１ネットワーク機器に前記第１グループのＲＳＲＰからの第１数のＲＳＲＰ及び前記第２グループのＲＳＲＰからの第２数のＲＳＲＰを示すことを備える、請求項１７に記載の方法。
【請求項１９】
前記第１グループのＲＳＲＰからの前記第１数のＲＳＲＰ及び前記第２グループのＲＳＲＰからの前記第２数のＲＳＲＰを示すことは、
前記第１グループのＲＳＲＰ及び前記第２グループのＲＳＲＰの中の最大ＲＳＲＰの絶対値を示すことと、
前記最大ＲＳＲＰと前記第１グループのＲＳＲＰ及び前記第２グループのＲＳＲＰからの少なくとも１つのＲＳＲＰとの少なくとも１つの差分値を示すことと、
前記最大ＲＳＲＰが前記第１グループのＲＳＲＰからのものか前記第２グループのＲＳＲＰからのものかを示すことと、を備える、請求項１８に記載の方法。
【請求項２０】
前記第１グループのＲＳＲＰからの前記第１数のＲＳＲＰ及び前記第２グループのＲＳＲＰからの前記第２数のＲＳＲＰを示すことは、
前記第１グループのＲＳＲＰからの前記第１グループのＲＳＲＰの中の最大ＲＳＲＰである第１ＲＳＲＰの絶対値を示すことと、
前記第２グループのＲＳＲＰからの前記第２グループのＲＳＲＰの中の最大ＲＳＲＰである第２ＲＳＲＰと前記第１ＲＳＲＰとの差分値を示すことと、
前記第１グループのＲＳＲＰからの第３ＲＳＲＰと前記第１ＲＳＲＰとの差分値を示すことと、
前記第２グループのＲＳＲＰからの第４ＲＳＲＰと、前記第１ＲＳＲＰ又は前記第２ＲＳＲＰとの差分値を示すことを備える、請求項１８に記載の方法。
【請求項２１】
前記第１グループのＲＳＲＰからの前記第１数のＲＳＲＰ及び前記第２グループのＲＳＲＰからの前記第２数のＲＳＲＰを示すことは、
前記第１グループのＲＳＲＰからの前記第１グループのＲＳＲＰの中の最大ＲＳＲＰである第１ＲＳＲＰの絶対値を示すことと、
前記第２グループのＲＳＲＰからの前記第２グループのＲＳＲＰの中の最大ＲＳＲＰである第２ＲＳＲＰと前記第１ＲＳＲＰとの差分値を示すことと、
前記第１グループのＲＳＲＰからの第３ＲＳＲＰと前記第１ＲＳＲＰとの差分値を示すことと、
前記第２グループのＲＳＲＰからの第４ＲＳＲＰと前記第１ＲＳＲＰとの差分値を示すことと、
前記第１ＲＳＲＰが前記第２ＲＳＲＰより大きいかを示すこととを備える、請求項１８に記載の方法。
【請求項２２】
前記第１グループのＲＳＲＰからの前記第１数のＲＳＲＰ及び前記第２グループのＲＳＲＰからの前記第２数のＲＳＲＰを示すことは、
前記第１グループのＲＳＲＰからの前記第１グループのＲＳＲＰの中の最大ＲＳＲＰである第１ＲＳＲＰの絶対値を示すことと、
前記第２グループのＲＳＲＰからの前記第２グループのＲＳＲＰの中の最大ＲＳＲＰである第２ＲＳＲＰの絶対値を示すことと、
前記第１グループのＲＳＲＰからの第３ＲＳＲＰと前記第１ＲＳＲＰとの差分値を示すことと、
前記第２グループのＲＳＲＰからの第４ＲＳＲＰと前記第２ＲＳＲＰとの差分値を示すこととを備える、請求項１８に記載の方法。
【請求項２３】
プロセッサと、
前記プロセッサに結合され指令が記憶されたメモリと
を備え、
前記指令が前記プロセッサにより実行された場合、請求項１〜８のいずれか１項に記載の方法を実行する、デバイス。
【請求項２４】
プロセッサと、
前記プロセッサに結合され指令が記憶されたメモリと
を備え、
前記指令が前記プロセッサにより実行された場合、請求項９〜２２のいずれか１項に記載の方法を実行する、デバイス。
【請求項２５】
少なくとも１つのプロセッサで実行された場合、前記少なくとも１つのプロセッサに、請求項１〜８のいずれか１項に記載の方法を実行させる指令が記憶されている、コンピュータ可読媒体。
【請求項２６】
少なくとも１つのプロセッサで実行された場合、前記少なくとも１つのプロセッサに、請求項９〜２２のいずれか１項に記載の方法を実行させる指令が記憶されている、コンピュータ可読媒体。
【発明の詳細な説明】
【技術分野】
【０００１】
本開示の実施形態は、全体として、電信分野に関し、具体的には、ビーム管理に用いられる方法及び装置に関する。
【背景技術】
【０００２】
New Radio Access（ＮＲ）においてサポートされるより高い周波数帯域での自由空間経路損失が増えるため、チャネル/信号の送信は指向性の高いリンクに依存している。即ち、従来の通信システムの全方向性通信ではなく、指向性ビームベースの通信が必要とされる。しかしながら、指向性リンクは、送信機と受信機のビームの精密なアラインメントを必要とする。これがビーム管理と称される一組の操作により実現される。
【０００３】
ＮＲにおいて、全体として、ビーム管理は、以下の４つの異なる手順を備える。即ち、ビームスイープ、ビーム測定、ビーム決定及びビーム報告である。ビームスイープ手順では、空間領域は、予め指定された間隔と方向により送信及び受信された一組のビームでカバーすることができる。ビーム測定手順では、受信した参照信号の品質は、予め指定されたメトリクス（例えば、参照信号受信電力（ＲＳＲＰ：Reference Signal Received Power））によりネットワーク機器（例えば、ｇＮＢ）又は端末機器（例えば、ＵＥ）で評価することができる。ビーム決定手順では、ビーム測定手順で得られた測定結果により、ネットワーク機器または端末機器のいずれかで適切な（複数の）ビームを選択することができる。端末機器は、ビーム報告手順を使用して、ビーム品質およびビーム決定情報を無線アクセスネットワーク（ＲＡＮ）に送信することができる。これらの手順は、周期的に繰り返し、時間とともに最適な送信機と受信機ビームペアを更新する。
【０００４】
３ＧＰＰ仕様において、ビーム管理用のレイヤ１（Ｌ１）ＲＳＲＰ報告は、以下の参照信号に基づくことができることが合意されている。即ち、同期信号ブロック（ＳＳＢ）、チャネル状態情報−参照信号（ＣＳＩ−ＲＳ）又はこれらの組合せである。ＳＳＢベースのビーム管理について、現在の仕様では単一のＴＲＰ／パネルビーム報告しかサポートされていない。しかしながら、マルチＴＲＰの送信において、適切な（複数の）ビームが異なるＴＲＰから選択できるにもかかわらず、現在の仕様では、マルチＴＲＰ／パネルビーム報告がサポートされていない。
【発明の概要】
【０００５】
本開示の例示的な実施形態は、全体として、ビーム管理に用いられる方法、デバイス及びコンピュータ可読媒体を提供する。
【０００６】
第１の態様において、第１ネットワーク機器において実現する方法が提供される。該方法によれば、第１ネットワーク機器からの第１グループのビームを決定するための、端末機器に用いられる第１グループのリソースを決定する。第１グループのリソースは、第２ネットワーク機器からの第２グループのビームを決定するための第２グループのリソースと異なり、第２グループのリソースは第２ネットワーク機器により端末機器に設定される。端末機器に第１グループのリソースを設定する。第１グループのビームを使用して第１グループのリソースにて端末機器に複数の同期及び/又は参照信号を送信する。
【０００７】
第２の態様において、端末機器において実現する方法が提供される。該方法によれば、第１ネットワーク機器からの第１グループのビームを決定するための第１グループのリソースを設定することに応じて、第１グループのリソースにて送信された複数の同期及び／又は参照信号を検出することにより、第１グループのビームに関連付ける第１グループのＲＳＲＰを決定する。第１グループのリソースは、第２ネットワーク機器からの第２グループのビームを決定するための第２グループのリソースと異なり、第２グループのリソースは第２ネットワーク機器により端末機器に設定される。第１ネットワーク機器に決定された結果を示す。
【０００８】
第３の態様において、デバイスが提供される。該デバイスは、プロセッサと、プロセッサに結合されるメモリとを備える。メモリには、指令が記憶され、該指令は、プロセッサにより実行された場合、該デバイスに動作を実行させる。該動作は、第１ネットワーク機器からの第１グループのビームを決定するための、端末機器に用いられる第１グループのリソースを決定することと、前記端末機器に前記第１グループのリソースを設定することと、前記第１グループのビームを使用して前記端末機器に前記第１グループのリソースにおける複数の同期及び／又は参照信号を送信することと、を備え、前記第１グループのリソースは、第２ネットワーク機器からの前記第２グループのビームを決定するための第２グループのリソースと異なり、前記第２グループのリソースは、第２ネットワーク機器により前記端末機器に設定される。
【０００９】
第４の態様において、デバイスが提供される。該デバイスは、プロセッサと、プロセッサに結合されるメモリとを備える。メモリには、指令が記憶され、該指令は、プロセッサにより実行された場合、該デバイスに動作を実行させる。該動作は、第１ネットワーク機器からの第１グループのビームを決定するための第１グループのリソースを設定することに応じて、第１グループのリソースにて送信された複数の同期及び／又は参照信号を検出することにより、第１グループのビームに関連付ける第１グループのＲＳＲＰを決定することと、第１ネットワーク機器に決定の結果を示すことを備える。
【００１０】
第５の態様において、指令が記憶されているコンピュータ可読媒体が提供される。該指令は、少なくとも１つのプロセッサで実行された場合、少なくとも１つのプロセッサに、本開示の第１の態様による方法を実行させる。
【００１１】
第６の態様において、指令が記憶されているコンピュータ可読媒体が提供される。該指令は、少なくとも１つのプロセッサで実行された場合、少なくとも１つのプロセッサに、本開示の第２の態様による方法を実行させる。
【００１２】
第７の態様において、コンピュータ可読記憶媒体に、有形に記憶されるコンピュータプログラム製品が提供される。該コンピュータプログラム製品は、少なくとも１つのプロセッサで実行された場合、少なくとも１つのプロセッサに、本開示の第１の態様又は第２の態様による方法を実行させる指令を備える。
【００１３】
本開示のその他の特徴は、以下の説明により容易に理解できるはずである。
【図面の簡単な説明】
【００１４】
以下、図面において本開示のいくつかの実施形態をさらに詳細に説明し、本開示の上述の及びその他の目的、特徴、長所を、さらに明らかにする。
【００１５】
【図１】マルチＴＲＰ送信をサポートできる例示的通信ネットワークを示す図である。
【００１６】
【図２】本開示の実施形態を実現できる例示的通信ネットワークを示す図である。
【００１７】
【図３】本開示のいくつかの実施形態によるマルチＴＲＰビーム管理に用いられる例示的プロセスである。
【００１８】
【図４】本開示のいくつかの実施形態の例を示す図である。
【００１９】
【図５】本開示のいくつかの実施形態の例を示す図である。
【００２０】
【図６】本開示のいくつかの実施形態の例を示す図である。
【００２１】
【図７】本開示のいくつかの実施形態による例示的ビームレポートである。
【００２２】
【図８】本開示のいくつかの実施形態による例示的ビームレポートである。
【００２３】
【図９】本開示のいくつかの実施形態による例示的ビームレポートである。
【００２４】
【図１０】本開示のいくつかの実施形態による例示的ビームレポートである。
【００２５】
【図１１】本開示のいくつかの実施形態による例示的ビームレポートである。
【００２６】
【図１２】本開示のいくつかの実施形態による例示的方法のフローチャートである。
【００２７】
【図１３】本開示のいくつかの実施形態による例示的方法のフローチャートである。
【００２８】
【図１４】本開示の実施形態を実現するのに適したデバイスの概略ブロック図である。
【００２９】
全ての図において、同一又は類似の図面符号は、同一又は類似の要素を示す。
【発明を実施するための形態】
【００３０】
以下、いくつかの例示的実施形態を参照に、本開示の原理を説明する。理解すべき点として、これらの実施形態は、単に説明を目的として記述され、当業者が本開示を理解し実現する際の助けとなるものであり、本開示の範囲についての何らかの制限を暗示するものではない。本明細書で説明する開示内容は、以下に説明する方法以外に、さまざまな方法で実現可能である。
【００３１】
以下の説明及び請求項において、別に定義がある場合を除き、文中で使用される全ての技術・科学用語は、本開示の属する分野の当業者が通常理解するものと、同じ意味を有する。
【００３２】
文中で使用される場合、文中で他に明記していない限り、単数形式である「１つの（ａ）」、「１つの（ａｎ）」及び「該（ｔｈｅ）」は、複数形式を含むことを意味する。用語「備える」及びその変形は、「・・・を備えるが、これらに限定されない」という意味の、開放式の用語であると理解されるべきである。用語「・・・に基づいて」は、「少なくとも部分的に基づく」と理解されるべきである。用語「１つの実施形態（ｏｎｅ  ｅｍｂｏｄｉｍｅｎｔ）」及び「実施形態」は、「少なくとも１つの実施形態」と理解されるべきである。用語「他の実施形態」は、「少なくとも１つの他の実施形態」と理解されるべきである。用語「第１」、「第２」等は、異なるか又は同一の対象を示すことができる。以下の文中では、その他の定義（明示又は暗示の）も含むことができる。
【００３３】
いくつかの例示において、値、プロセス又は装置は、「最良」、「最低」、「最高」、「最小」、「最大」等と称される。理解すべき点として、こうした説明は、使用される複数の機能の代替手段の中から、選択可能であると示すことを意図しており、こうした選択は、他の選択と比べて、より優れていたり、より小さかったり、より高かったり、又は他の態様では、より好ましかったりする必要はない。
【００３４】
上述したように、ＮＲにおいて、全体として、ビーム管理は、以下の４つの異なる手順を備える。即ち、ビームスイープ、ビーム測定、ビーム決定及びビーム報告である。ビームスイープ手順では、空間領域は、予め指定された間隔と方向により送信及び受信された一組のビームでカバーすることができる。ビーム測定手順では、受信した参照信号の品質は、予め指定されたメトリクス（例えば、参照信号受信電力（ＲＳＲＰ：Reference Signal Received Power））によりネットワーク機器（例えば、ｇＮＢ）又は端末機器（例えば、ＵＥ）で評価することができる。ビーム決定手順では、ビーム測定手順で得られた測定結果により、ネットワーク機器または端末機器のいずれかで適切な（複数の）ビームを選択することができる。端末機器は、ビーム報告手順を使用して、ビーム品質およびビーム決定情報を無線アクセスネットワーク（ＲＡＮ）に送信することができる。これらの手順は、周期的に繰り返し、時間とともに最適な送信機と受信機ビームペアを更新する。
【００３５】
３ＧＰＰ仕様において、ビーム管理用のＬ１ＲＳＲＰ報告は、以下の参照信号に基づくことができることが合意されている。即ち、同期信号ブロック（ＳＳＢ）、チャネル状態情報−参照信号（ＣＳＩ−ＲＳ）又はこれらの組合せである。ＳＳＢベースのビーム管理について、現在の仕様では単一のＴＲＰ／パネルビーム報告しかサポートされていない。しかしながら、マルチＴＲＰの送信において、適切な（複数の）ビームが異なるＴＲＰから選択できるにもかかわらず、現在の仕様では、マルチＴＲＰ／パネルビーム報告がサポートされていない。
【００３６】
図１は、マルチＴＲＰ送信をサポートできる例示的通信ネットワーク１００を示す。図１に示すように、ネットワーク１００は、ＴＲＰ１２０−１と１２０−２この２つ（総称してＴＲＰ１２０と称されて、又は単独でＴＲＰ１２０と称される）に結合するｇＮＢ１１０を備える。ネットワーク１００は、ｇＮＢ１１０からサービスを受けるＵＥ１３０も備える。ＴＲＰ１２０の各ＴＲＰは、複数のビームを備えることができる。例えば、図１に示すように、ＴＲＰ１２０−１は、４つのビーム１２１−１、１２１−２、１２１−３、及び１２１−４を備えることができ、ＴＲＰ１２０−２も４つのビーム１２２−１、１２２−２、１２２−３、及び１２２−４を備えることができる。
【００３７】
図１に示すネットワーク１００において、ビーム管理に用いられるＬ１−ＲＳＲＰ報告がＳＳＢにのみ基づくと仮定する。文中で使用される「ＳＳＢ」は、プライマリ同期信号（ＰＳＳ）、セカンダリ同期信号（ＳＳＳ）、及び関連付けられた物理ブロードキャストチャネル（ＰＢＣＨ）信号を備える送信ユニットを指す。例えば、１つのＳＳブロックは、Ｋ個の直交周波数分割多重（ＯＦＤＭ）符号（Ｋは整数で且つＫ≧４である）を含むことができ、１つの符号は、ＰＳＳ（「ＰＳＳ符号」とも称される）のために用いられ、１つの符号は、ＳＳＳ（「ＳＳＳ符号」とも称される）のために用いられ、残りのＫ−２個の符号は、ＰＢＣＨ（「ＰＢＣＨ符号」とも称される）のために用いられる。ＳＳＢバーストセットは、複数のＳＳＢを備えることができ、ＳＳＢバーストセットは、一定の周期で繰り返すことができる。例えば、周期は、｛５ｍｓ、１０ｍｓ、２０ｍｓ、４０ｍｓ、８０ｍｓ、１６０ｍｓ｝のうちの１つであってよい。ＳＳＢに関連付けられたインデックス情報は、予め定義し、又はＵＥ１３０に設定することができ、これによりＵＥ１３０がＳＳＢの測定を促進する。
【００３８】
ＳＳバーストセットの中のＳＳＢ送信は、ＳＳブロックバーストセットの周期に関係なく、５ｍｓの時間窓に制限されてよい。周波数範囲により、ＳＳＢバーストセットの中のＳＳＢの最大数Ｌは、異なっていてよい。例えば、３ＧＨｚを超えない周波数範囲の場合、Ｌは、４であってよい。３ＧＨｚから６ＧＨｚまでの周波数範囲の場合、Ｌは、８であってよい。６ＧＨｚから５２．６ＧＨｚまでの周波数範囲の場合、Ｌは、６４であってよい。
【００３９】
図１に示す例において、ＳＳＢバーストセットの中のＳＳＢの最大数は、４であり、４個のＳＳＢがＴＲＰ１２０からの異なるビームを使用して送信することができると仮定する。ＴＲＰ１２０−１と１２０−２のセルＩＤが同じであると仮定する。この場合、例えば、ビーム１２１に関連付けられたＳＳＢインデックスは、それぞれビーム１２２に関連付けられたＳＳＢインデックスと同じであってよい。即ち、ビーム１２１−１に関連付けられたＳＳＢインデックスは、ビーム１２２−１に関連付けられたＳＳＢインデックスと同じであってよく、ビーム１２１−２に関連付けられたＳＳＢインデックスは、ビーム１２２−２に関連付けられたＳＳＢインデックスと同じであってよく、ビーム１２１−３に関連付けられたＳＳＢインデックスは、ビーム１２２−３に関連付けられたＳＳＢインデックスと同じであってよく、ビーム１２１−４に関連付けられたＳＳＢインデックスは、ビーム１２２−４に関連付けられたＳＳＢインデックスと同じであってよい。ＵＥ１３０は、ＴＰＲ１２０−１からの最良ビームがビーム１２１−２であり、ＴＰＲ１２０−２からの最良ビームがビーム１２２−３であることを検出して（例えば、前記のビーム決定手順における）、ｇＮＢ１１０にビーム１２１−２及び１２２−３に関連付けられたＳＳＢインデックスを報告する場合（例えば、前記のビーム報告手順において報告する）、ｇＮＢ１１０は、２つのビーム１２１−２及び１２２−３の各ビームがどのＴＲＰからのものかを知らない可能性がある。
【００４０】
前記の問題及び１つ又は複数の他の潜在的問題を解決するために、本開示の実施形態は、ビーム管理に用いられる解決手段を提供する。該解決手段を用いることで、マルチＴＲＰ／パネル送信のためのビーム報告をサポートすることができる。図２〜１４を参考にしつつ、本開示の原理及び実現について詳細に説明する。
【００４１】
図２は、本開示の実施形態を実現する可能な例示的通信ネットワーク２００を示す。ネットワーク２００は、２つのネットワーク機器２１０−１と２１０−２（総称してネットワーク機器２１０と称されて、又は単独でネットワーク機器２１０と称される）、及び、ネットワーク機器２１０からサービスを受ける端末機器２２０を備える。理解すべき点として、ネットワーク機器及び端末機器の数は、説明の目的のために使用されるだけで、何らかの制限を示唆するものではない。ネットワーク２００は、本開示の実施形態の実現に適した任意の適切な数のネットワーク機器及び端末機器を備えることができる。
【００４２】
文中で使用される用語「端末機器」は、無線又は有線での通信能力を有する全てのデバイスを指す。端末機器の例として、ユーザー機器（ＵＥ）、パーソナルコンピュータ、デスクトップコンピュータ、移動電話、携帯電話、スマートフォン、携帯情報端末（ＰＤＡ）、携帯コンピュータ、画像取込デバイス（例えばデジタルカメラ）、ゲーム機器、音楽保存再生装置、又は無線若しくは、有線によるインターネットへのアクセス・閲覧をイネーブルにするインターネットデバイス等が含まれるが、これらに限定されない。議論しやすいように、以下の文では、参考用にＵＥを端末機器２２０の例示として、いくつかの実施形態を説明する。
【００４３】
文中で使用される用語「ネットワーク機器」又は「基地局」（ＢＳ）とは、端末機器が通信可能なセル又はカバー範囲を、提供又は管理可能なデバイスを指す。ネットワーク機器の例には、ノードＢ（ＮｏｄｅＢ又はＮＢ）、進化型ＮｏｄｅＢ（ｅＮｏｄｅＢ又はｅＮＢ）、次世代ＮｏｄｅＢ（ｇＮＢ）、送信／受信ポイント（ＴＲＰ）、リモートラジオユニット（ＲＲＵ）、無線ヘッド（ＲＨ）、リモート無線ヘッド（ＲＲＨ）、低電力ノード（例えばフェムトノード、ピコノード等）が含まれるが、これらに限定されない。
【００４４】
いくつかの実施形態において、例えば、ネットワーク機器２１０−１及び２１０−２は、同一のｇＮＢに結合される２つのＴＲＰである。例えば、図１に示すように、ネットワーク機器２１０−１は、ＴＲＰ１２０−２であってよく、ネットワーク機器２１０−２は、ＴＲＰ１２０−１であってよい。選択的に、いくつかの他の実施形態において、ネットワーク機器２１０−１及び２１０−２は、互いに通信する２つの単独のｇＮＢであってよい。議論の目的だけで、本開示の範囲について何らかの制限を示唆するものではなく、以下の文では、参考用にＴＲＰをネットワーク機器２１０の例示として、いくつかの実施形態を説明する。
【００４５】
以下の議論において、説明しやすいように、ネットワーク機器２１０−１は、「第１ネットワーク機器」と称されてよく、ネットワーク機器２１０−２は、「第２ネットワーク機器」と称されてよい。第１ネットワーク機器２１０−１のカバー範囲（図２に示されていない）は、「第１セル」と称されてよく、第２ネットワーク機器２１０−２のカバー範囲（図２に示されていない）は、「第２セル」と称されてよい。例えば、第１セルは、第２セルと同じであってよく、又は異なっていてよい。
【００４６】
ネットワーク機器２１０が端末機器２２０と通信することができる。ネットワーク２００における通信は、任意の適切な規格に適合することができる。ここで任意の適切な規格には、ロングタームエボォリュ−ション（ＬＴＥ）、ＬＴＥエボォリュ−ション、ＬＴＥアドバンスト（ＬＴＥ−Ａ）、広帯域符号分割多元接続（ＷＣＤＭＡ）、符号分割多元接続（ＣＤＭＡ）、及びモバイル通信用グローバルシステム（ＧＳＭ）等が含まれるが、これらに限定されない。また、現時点で既知の、又は将来開発される任意の世代の通信プロトコルに基づき、通信を実行することができる。通信プロトコルの例示として第１世代（１Ｇ）、第２世代（２Ｇ）、２．５Ｇ、２．７５Ｇ、第３世代（３Ｇ）、第４世代（４Ｇ）、４．５Ｇ、第５世代（５Ｇ）の通信プロトコルが含まれるが、これらに限定されない。
【００４７】
いくつかの実施形態において、例えば、初期アクセス手順の期間中、端末機器２２０は、第２ネットワーク機器２１０−２にアクセスすることができ、同期及び／又は参照信号の送信のための一組のリソースは、第２ネットワーク機器２１０−２により端末機器２２０に設定することができる。初期アクセス後、第１ネットワーク機器２１０−１はマルチＴＲＰビーム管理用のいくつかの追加リソースを設定することができる。図３は、本開示のいくつかの実施形態によるマルチＴＲＰビーム管理用の例示的プロセス３００を示す図である。議論の目的として、図２を参考しつつプロセス３００を説明する。プロセス３００は、端末機器２２０及び端末機器２２０にサービスを提供する１つ又は複数のネットワーク機器２１０に関する。
【００４８】
図２に示すように、第１ネットワーク機器２１０−１は、第１ネットワーク機器２１０−１からの第１グループのビームを決定するための、端末機器２１０に用いられる第１グループのリソースを決定する（３１０）。いくつかの実施形態において、第１グループのリソースは、第２ネットワーク機器２１０−２により端末機器２２０に設定される第２グループのリソースと異なっていてよい。その後、第１ネットワーク機器２１０−１が端末機器２２０に第１グループのリソースを設定する（３２０）。
【００４９】
いくつかの実施形態において、第１グループのリソース及び第２グループのリソースは、ＳＳＢリソースであってよい。文中で使用される「ＳＳＢ」リソースは、時間領域、周波数領域及び／又はコード領域における、ＳＳＢの送信のために割り当てられた１つ又は複数のリソース要素を指す。いくつかの他の実施形態において、第１グループのリソース及び第２グループのリソースはＣＳＩ−ＲＳリソースであってよい。文中で使用される「ＣＳＩ−ＲＳ」リソースは、時間領域、周波数領域及び／又はコード領域における、ＣＳＩ−ＲＳ送信のために割り当てられた１つ又は複数のリソース要素を指す。議論しやすいように、以下の文では、ＳＳＢリソースを第１グループのリソース又は第２グループのリソースの例示としていくつかの実施形態を説明する。例えば、第１グループのリソースは「第１グループのＳＳＢリソース」と称されてよく、第２グループのリソースは「第２グループのＳＳＢリソース」と称されてよい。しかしながら、理解すべき点として、本開示の実施形態は、参照信号（例えば、ＣＳＩ−ＲＳ）の送信のためのリソースにも適用され、本開示は、この点においては制限されない。
【００５０】
いくつかの実施形態において、第１グループのＳＳＢリソース及び第２グループのＳＳＢリソースは、時間領域、周波数領域及び／又はコード領域の中の異なるリソース割当に関連付けることができる。例えば、いくつかの実施形態において、第１グループのＳＳＢリソース及び第２グループのＳＳＢリソースは、時間領域の中の異なる周期及び／又はオフセットに関連付けることができる。選択的に又は追加的に、いくつかの実施形態において、第１グループのＳＳＢリソース及び第２グループのＳＳＢリソースは、異なるセルＩＤに関連付けることができる。選択的に又は追加的に、いくつかの実施形態において、第１グループのＳＳＢリソース及び第２グループのＳＳＢリソースは、周波数領域の中の異なる位置及び／又はオフセットに関連付けることができる。
【００５１】
いくつかの実施形態において、第１グループのＳＳＢリソースは、Ｍ個のＳＳＢリソースを備えることができ、第２グループのＳＳＢリソースは、Ｎ個のＳＳＢリソースを備えることができる。ここで、ＭとＮの両方は整数である。Ｍは、Ｎと同じであってよく、又は異なっていてよい。この場合、端末機器２２０は、Ｍ＋Ｎ個のＳＳＢリソースに基づき、ＲＳＲＰ及び／又はビームを測定することができる。
【００５２】
いくつかの実施形態において、第１グループのＳＳＢリソース及び第２グループのＳＳＢリソースは、同一のＳＳＢリソースセットに含めてよい。選択的に、いくつかの他の実施形態において、第１グループのＳＳＢリソース及び第２グループのＳＳＢリソースは、異なるＳＳＢリソースセット又はＳＳＢリソースセットの異なるサブセットに含めてよい。
【００５３】
いくつかの実施形態において、異なるＳＳＢリソースセット又は異なるＳＳＢリソースサブセットについて、ＳＳＢ系列の生成に用いられるセルＩＤ（ＩＤ）は、異なっていてよい。即ち、第１グループのＳＳＢリソース及び第２グループのＳＳＢリソースは、ＳＳＢ系列の生成に用いられる異なるＩＤに関連付けることができる。例えば、ＩＤは、ＳＳＢリソースにて送信されるために、ＰＳＳ及び／又はＳＳＳ用の系列の生成に用いることができる。別の例示として、ＩＤは、ＳＳＢリソースにて送信されるために、ＰＢＣＨの復調参照信号（ＤＭＲＳ）用の系列及び／又はＰＢＣＨのスクランブリング用の系列の生成に用いることができる。さらに、いくつかの実施形態において、第１グループのＳＳＢリソースは、Ｍ個のＳＳＢリソースを含むことができ、第２グループのＳＳＢリソースは、Ｎ個のＳＳＢリソースを含むことができる。ここで、ＭとＮの両方は整数である。Ｍは、Ｎと同じであってよく、又は異なっていてよい。さらに、例えば、第１セル又は第１ネットワーク機器２１０−１（例えば、ＴＲＰ又はパネル）について、ＳＳＢ系列の生成に用いられるＩＤは、ＩＤ１と表してよい。第２セル又は第２ネットワーク機器２１０−２について、ＳＳＢ系列の生成に用いられるＩＤは、ＩＤ２と表してよい。ＩＤ１は、ＩＤ２と異なっていてよい。また、いくつかの実施形態において、時間領域、周波数領域及び／又はコード領域における、第１グループのＳＳＢリソースについてのリソース割当は、時間領域、周波数領域及び／又はコード領域における、第２グループのＳＳＢリソースについてのリソース割当と同じであってよい。この場合、異なるネットワーク機器に用いられるＳＳＢリソースのインデックスは、暗黙に区分することができる。例えば、第１グループのＳＳＢリソースについてのインデックスは、０、１、２．．．Ｍ−１と解読されてよく、第２グループのＳＳＢリソースについてのインデックスは、Ｍ、Ｍ＋１．．．Ｎ＋Ｍ−１と解読されてよい。
【００５４】
図４は、このような実施形態の例示を示す。具体的に、例えば、図４は、図１に示すＴＲＰ１２０及びＵＥ１３０を示す。図４に示す例示において、ＳＳＢバーストセット内のＳＳＢの最大数は４であると仮定して、４個のＳＳＢについてのインデックスは初期に０、１、２及び３であると仮定する。図４に示すように、ＴＲＰ１２０−１のためのＳＳＢリソース及びＴＲＰ１２０−２のためのＳＳＢリソースは、時間領域、周波数領域及び／又はコード領域における同一のリソース割当パターンを共用する。しかしながら、ＴＲＰ１２０−１については、ＳＳＢ系列の生成に用いられるＩＤはＮ＿ＩＤ１であってよく、ＴＲＰ１２０−２については、ＳＳＢ系列の生成に用いられるＩＤはＮ＿ＩＤ２であってよい。ここで、Ｎ＿ＩＤ１は、１Ｎ＿ＩＤ２と異なる。初期アクセスについて、ＵＥ１３０は、ＴＲＰ１２０−１にアクセスし、セルＩＤ  Ｎ＿ＩＤ１を取得することができる。Ｎ＿ＩＤ１について、４個のＳＳＢについてのインデックスは、ｇＮＢ１１０及びＵＥ１３０の両方により、０、１、２及び３と解読されてよい。初期アクセス後、別のセルＩＤ  Ｎ＿ＩＤ２は、ＴＲＰ１２０−２によりＵＥ１３０に設定することができる。Ｎ＿ＩＤ２について、４個のＳＳＢについてのインデックスは、ｇＮＢ１１０及びＵＥ１３０の両方により、初期インデックスの０、１、２及び３ではなく、４、５、６及び７と解読されてよい。
【００５５】
いくつかの実施形態において、端末機器２２０は、２つのＳＳＢリソースセット／サブセットを設定することができる。第１ＳＳＢリソースセット／サブセットについて、第１ＩＤは、系列の生成に用いることができる。第２ＳＳＢリソースセット／サブセットについて、第２ＩＤは、系列の生成に用いることができる。いくつかの実施形態において、系列の生成に用いられる第１ＩＤは、セルにサービスを提供するセルＩＤと同じであってよい。例えば、系列の生成に用いられる第１ＩＤは、初期アクセス手順から取得することができる。いくつかの実施形態において、第２ＳＳＢリソースセット／サブセットについて、端末機器２２０は、ＳＳＢ系列の生成に用いられる第２ＩＤを設定することができる。いくつかの実施形態において、第２ＩＤの値は、第１ＩＤの値と異なっていてよい。
【００５６】
いくつかの実施形態において、異なるＳＳＢリソースセット又はＳＳＢリソースサブセットについて、時間領域におけるリソース割当が異なっていてよい。例えば、第１グループのＳＳＢリソース及び第２グループのＳＳＢリソースは、時間領域における異なる周期及び／又はオフセットに関連付けることができる。いくつかの実施形態において、第１グループのＳＳＢリソースは、Ｍ個のＳＳＢリソースを備えることができ、第２グループのＳＳＢリソースは、Ｎ個のＳＳＢリソースを備えることができる。ここで、ＭとＮの両方は整数である。Ｍは、Ｎと同じであってよく、又は異なっていてよい。例えば、第１セル又は第１ネットワーク機器２１０−１（例えば、ＴＲＰ又はパネル）について、時間領域におけるオフセットは、Ｔ＿Ｏ１と表してよい。第２セル又は第２ネットワーク機器２１０−２について、時間領域におけるオフセットは、Ｔ＿Ｏ２と表されてよい。Ｔ＿Ｏ２がＴ＿Ｏ１と異なっていてよい。別の例示として、第１グループのＳＳＢリソースについて、時間領域におけるオフセットは、存在しないことができる。または選択的に、時間領域におけるオフセットは、０と表してよい。第２グループのＳＳＢリソースについて、時間領域におけるオフセットは、Ｔ＿Ｏ２と表されてよく、時間領域におけるオフセットは、第１グループのＳＳＢリソースと第２グループのＳＳＢリソースとの間の時間間隔である。
【００５７】
いくつかの実施形態において、端末機器２２０は、２つのＳＳＢリソースセット又は２つのＳＳＢリソースサブセットで設定することができ、端末機器２２０は、第２ＳＳＢリソースセット又は第２ＳＳＢリソースサブセットにのみついてのオフセット値で設定することができる。該オフセット値は、第１ＳＳＢリソースセット又は第１ＳＳＢリソースサブセットと第２ＳＳＢリソースセット又は第２ＳＳＢリソースサブセットとの間の時間オフセットを示す。
【００５８】
いくつかの実施形態において、時間領域におけるオフセットは、５ｍｓの時間窓内のＳＳバーストセットにおける時間オフセットとしてよい。いくつかの実施形態において、時間領域におけるオフセットは、ＳＳバーストセット全体についての時間オフセットとしてよい。例えば、オフセットは、５ｍｓの倍数であってよい。いくつかの実施形態において、使用可能なオフセットは、ＳＳバーストセットが第１グループのＳＳＢリソース及び／又は第２グループのＳＳＢリソースにおける周期に基づくことができる。例えば、周期は５ｍｓとなる場合、使用可能なオフセット値は、存在しない可能性がある。別の例示として、周期は、１０ｍｓとなる場合、使用可能なオフセット値は、５ｍｓであってよい。別の例示として、周期は２０ｍｓとなる場合、使用可能なオフセット値は、｛５ｍｓ、１０ｍｓ、１５ｍｓ｝の内の任意の１つであってよい。別の例示として、周期は４０ｍｓとなる場合、使用可能なオフセット値は、｛５ｍｓ、１０ｍｓ、１５ｍｓ、２０ｍｓ、２５ｍｓ、３０ｍｓ、３５ｍｓ｝の内の任意の１つであってよい。別の例示として、周期は８０ｍｓとなる場合、使用可能なオフセット値は、Ｘ＊５ｍｓの内の任意の１つであってよく、ここで、Ｘ∈｛１、２、３、・・・１４、１５｝である。別の例示として、周期は１６０ｍｓとなる場合、使用可能なオフセット値は、Ｘ＊５ｍｓの内の任意の１つであってよく、ここで、Ｘ∈｛１、２、３、・・・３０、３１｝である。この場合、異なるネットワーク機器についてのＳＳＢリソースのインデックスは、暗黙に区分することができる。例えば、第１グループのＳＳＢリソースについてのインデックスは、０、１、２．．．Ｍ−１と解読されてよく、第２グループのＳＳＢリソースについてのインデックスは、Ｍ、Ｍ＋１．．．Ｎ＋Ｍ−１と解読されてよい。
【００５９】
図５は、このような実施形態の例示を示す。具体的に、例えば、図５は、ＴＲＰ１２０−１のためのＳＳＢリソース及びＴＲＰ１２０−２のためのＳＳＢリソースを示す。図５に示す例示において、ＳＳＢバーストセット内のＳＳＢの最大数は４であると仮定して、４個のＳＳＢについてのインデックスは初期に０、１、２及び３であると仮定する。図５に示すように、ＴＲＰ１２０−１のためのＳＳＢリソース及びＴＲＰ１２０−２のためのＳＳＢリソースは、時間領域における異なるオフセットに関連付ける。例えば、ＴＲＰ１２０−１について、ＳＳＢリソースについての時間オフセットは、Ｔ＿Ｏ１であってよい。ＴＲＰ１２０−２について、ＳＳＢリソースについての時間オフセットは、Ｔ＿Ｏ２であってよく、Ｔ＿Ｏ２がＴ＿Ｏ１と異なっていてよい。図５に示すように、時間オフセットＴ＿Ｏ１とＴ＿Ｏ２との間の差は、５１０と表される。
【００６０】
初期アクセスについて、ＵＥ１３０はＴＲＰ１２０−１にアクセスし、時間オフセットＴ＿Ｏ１を取得することができる。ＵＥ１３０は、時間オフセットＴ＿Ｏ１に基づき、ＴＲＰ１２０−１に関連付けられたＳＳＢリソースの位置を決定することができる。時間オフセットＴ＿Ｏ１について、４個のＳＳＢについてのインデックスは、ｇＮＢ１１０及びＵＥ１３０の両方により、０、１、２及び３と解読されてよい。初期アクセス後、別の時間オフセットＴ＿Ｏ２は、ＴＲＰ１２０−２によりＵＥ１３０に設定することができる。ＵＥ１３０は、時間オフセットＴ＿Ｏ２に基づき、ＴＲＰ１２０−２に関連付けられたＳＳＢリソースの位置を決定することができる。時間オフセットＴ＿Ｏ２について、４個のＳＳＢについてのインデックスは、ｇＮＢ１１０及びＵＥ１３０の両方により、初期インデックスの０、１、２及び３ではなく、４、５、６及び７と解読されてよい。
【００６１】
いくつかの実施形態において、例えば、ＴＲＰ１２０−１について、ＳＳＢリソースについての時間オフセットは、存在しないことができる。または選択的に、時間オフセットＴ＿Ｏ１は、０であってよい。ＴＲＰ１２０−２について、ＳＳＢリソースについての時間オフセットは、Ｔ＿Ｏ２となってよく、Ｔ＿Ｏ２が第１グループのＳＳＢリソースと第２グループのＳＳＢリソースとの間の間隔を示す。
【００６２】
初期アクセスについて、ＵＥ１３０はＴＲＰ１２０−１にアクセスし、ＴＲＰ１２０−１に関連付けられたＳＳＢリソースの時間位置を取得することができる。ＴＲＰ１２０−１に関連付けられたＳＳＢリソースについて、４個のＳＳＢについてのインデックスは、ｇＮＢ１１０及びＵＥ１３０の両方により、０、１、２及び３と解読されてよい。初期アクセス後、時間オフセットＴ＿Ｏ２は、ＵＥ１３０に設定することができる。ＵＥ１３０は、時間オフセットＴ＿Ｏ２に基づき、ＴＲＰ１２０−２に関連付けられたＳＳＢリソースの位置を決定することができる。ＴＲＰ１２０−２に関連付けられたＳＳＢリソースについて、４個のＳＳＢについてのインデックスは、ｇＮＢ１１０及びＵＥ１３０の両方により、初期インデックスの０、１、２及び３ではなく、４、５、６及び７と解読されてよい。
【００６３】
いくつかの実施形態において、異なるＳＳＢリソースセット又はＳＳＢリソースサブセットについて、周波数領域におけるリソース割当が異なっていてよい。例えば、第１グループのＳＳＢリソース及び第２グループのＳＳＢリソースは、周波数領域における異なるオフセットに関連付けることができる。いくつかの実施形態において、第１グループのＳＳＢリソースは、Ｍ個のＳＳＢリソースを備えることができ、第２グループのＳＳＢリソースは、Ｎ個のＳＳＢリソースを備えることができる。ここで、ＭとＮの両方は整数である。Ｍは、Ｎと同じであってよく、又は異なっていてよい。例えば、第１セル又は第１ネットワーク機器２１０−１（例えば、ＴＲＰ又はパネル）について、周波数領域における第１グループのＳＳＢリソースの位置は、Ｆ１と表してよい。第２セル又は第２ネットワーク機器２１０−２について、周波数領域における第２グループのＳＳＢリソースの位置は、Ｆ２と表されてよく、Ｆ２がＦ１と異なっていてよい。例えば、第２グループのＳＳＢリソースの位置と第１グループのＳＳＢリソースの位置との間に、オフセットが存在することができる。例えば、第２グループのＳＳＢリソースの位置と第１グループのＳＳＢリソースの位置との間の周波数オフセットは、物理リソースブロック（ＰＲＢ）の数と表してよい。別の例示として、第２グループのＳＳＢリソースの位置と第１グループのＳＳＢリソースの位置との間の周波数オフセットは、リソース要素（ＲＥ：resource element）の数と表してよい。
【００６４】
いくつかの実施形態において、端末機器２２０は、２つのＳＳＢリソースセット又は２つのＳＳＢリソースサブセットを設定することができ、端末機器２２０は、第２ＳＳＢリソースセット又は第２ＳＳＢリソースサブセットにのみついてのオフセット値を設定することができる。該オフセット値は、第１ＳＳＢリソースセット又は第１ＳＳＢリソースサブセットと第２ＳＳＢリソースセット又は第２ＳＳＢリソースサブセットとの間の周波数オフセットを示す。いくつかの実施形態において、端末機器２２０は、２つのＳＳＢリソースセット又は２つのＳＳＢリソースサブセットを設定することができ、端末機器２２０は、第２ＳＳＢリソースセット又は第２ＳＳＢリソースサブセットにのみついての周波数領域位置を設定することができる。該周波数領域位置は、共通ＲＢ＃０についての共通リソースブロック（ＲＢ）インデックス又は共通ＲＢ＃０の中のＲＥ＃０についての共通リソース要素（ＲＥ）インデックスを示すことができる。
【００６５】
したがって、異なるネットワーク機器についてのＳＳＢリソースのインデックスは、暗黙に区分することができる。例えば、第１グループのＳＳＢリソースについてのインデックスは、０、１、２．．．Ｍ−１と解読されてよく、第２グループのＳＳＢリソースについてのインデックスは、Ｍ、Ｍ＋１．．．Ｎ＋Ｍ−１と解読されてよい。
【００６６】
図６は、このような実施形態の例を示す。具体的に、例えば、図６は、ＴＲＰ１２０−１のためのＳＳＢリソース及びＴＲＰ１２０−２のためのＳＳＢリソースを示す。図６に示す例示において、ＳＳＢバーストセット内のＳＳＢの最大数は４であると仮定して、４個のＳＳＢについてのインデックスは初期に０、１、２及び３であると仮定する。図６に示すように、ＴＲＰ１２０−１のためのＳＳＢリソース及びＴＲＰ１２０−２のためのＳＳＢリソースは、周波数領域における異なるオフセットに関連付ける。例えば、ＴＲＰ１２０−１について、ＳＳＢリソースについての周波数オフセットは、Ｆ＿Ｏ１であってよい。ＴＲＰ１２０−２について、ＳＳＢリソースについての周波数オフセットは、Ｆ＿Ｏ１と異なるＦ＿Ｏ２であってよい。図６に示すように、周波数オフセットＦ＿Ｏ１とＦ＿Ｏ２との間の差は、６１０と表される。
【００６７】
初期アクセスについて、ＵＥ１３０は、ＴＲＰ１２０−１にアクセスし、周波数オフセットＦ＿Ｏ１を取得することができる。ＵＥ１３０は、周波数オフセットＦ＿Ｏ１に基づきＴＲＰ１２０−１に関連付けられたＳＳＢリソースの位置を取得することができる。周波数オフセットＦ＿Ｏ１について、４個のＳＳＢについてのインデックスは、ｇＮＢ１１０及びＵＥ１３０の両方により、０、１、２及び３と解読されてよい。初期アクセス後、別の周波数オフセットＦ＿Ｏ２は、ＴＲＰ１２０−２によりＵＥ１３０に設定することができる。ＵＥ１３０は、周波数オフセットＦ＿Ｏ２に基づき、ＴＲＰ１２０−２に関連付けられたＳＳＢリソースの位置を決定することができる。周波数オフセットＦ＿Ｏ２について、４個のＳＳＢについてのインデックスは、ｇＮＢ１１０及びＵＥ１３０の両方により、初期インデックスの０、１、２及び３ではなく、４、５、６及び７と解読されてよい。
【００６８】
図２を振り返って参照して、第１ネットワーク機器２１０−１は、その後、第１グループのビームを使用して、第１グループのリソースにて端末機器２２０に複数の同期及び／又は参照信号（例えば、ＳＳＢ及び／又はＣＳＩ−ＲＳ）を送信する（３３０）。端末機器２２０において、第１ネットワーク機器からの第１グループのビームを決定するための第１グループのリソースを設定することに応じて、端末機器２２０は、第１グループのリソースにて送信された複数の同期及び／又は参照信号を検出することにより、第１グループのビームに関連付けられた第１グループのＲＳＲＰを決定する（３４０）。その後、端末機器２２０は第１ネットワーク機器２１０−１に決定の結果を示す（３５０）。
【００６９】
いくつかの実施形態において、マルチＴＲＰビーム管理について、複数のＳＳＢ／ＣＳＩ−ＲＳリソースは、端末機器２２０に設定することができる。例えば、上述したように、第１グループのＳＳＢ／ＣＳＩ−ＲＳリソースは、第１ネットワーク機器２１０−１から端末機器２２０までのＳＳＢ／ＣＳＩ−ＲＳの送信のために設定することができる。第２グループのＳＳＢ／ＣＳＩ−ＲＳリソースは、第２ネットワーク機器２１０−２から端末機器２２０までのＳＳＢ／ＣＳＩ−ＲＳの送信のために設定することができる。いくつかの実施形態において、第１グループのＳＳＢ／ＣＳＩ−ＲＳリソース及び第２グループのＳＳＢ／ＣＳＩ−ＲＳリソースは、同一のＳＳＢ／ＣＳＩ−ＲＳリソースセットに含めてよい。選択的に、いくつかの他の実施形態において、第１グループのＳＳＢ／ＣＳＩ−ＲＳリソース及び第２グループのＳＳＢ／ＣＳＩ−ＲＳリソースは、異なるＳＳＢ／ＣＳＩ−ＲＳリソースセット又はＳＳＢ／ＣＳＩ−ＲＳリソースセットの異なるサブセットに含めてよい。
【００７０】
いくつかの実施形態において、端末機器２２０は、第１グループのＳＳＢ／ＣＳＩ−ＲＳリソースにて送信された複数のＳＳＢ／ＣＳＩ−ＲＳを検出することにより、第１ネットワーク機器２１０−１からの第１グループのビームに関連付けられた第１グループのＲＳＲＰを決定することができる。端末機器２２０はさらに、第２グループのＳＳＢ／ＣＳＩ−ＲＳリソースにて送信された複数のＳＳＢ／ＣＳＩ−ＲＳを検出することにより、第２ネットワーク機器２１０−２からの第２グループのビームに関連付けられた第２グループのＲＳＲＰを決定することができる。
【００７１】
いくつかの実施形態において、端末機器２２０は、２つのＳＳＢ／ＣＳＩ−ＲＳリソースセット／サブセットを設定することができる。第１ＳＳＢ／ＣＳＩ−ＲＳリソースセット／サブセットは、Ｍ個のＳＳＢ／ＣＳＩ−ＲＳリソースを備えることができ、第２グループのＳＳＢ／ＣＳＩ−ＲＳリソースセット／サブセットは、Ｎ個のＳＳＢ／ＣＳＩ−ＲＳリソースを備えることができる。ここで、ＭとＮの両方は整数である。Ｍは、Ｎと同じであってよく、又は異なっていてよい。
【００７２】
いくつかの実施形態において、端末機器２２０は、２つのＳＳＢリソースセット／サブセットを設定することができる。第１ＳＳＢリソースセット／サブセットは、Ｍ個のＳＳＢリソースを備えることができ、第２ＳＳＢリソースセット／サブセットは、Ｎ個のＳＳＢリソースを備えることができる。ここで、ＭとＮの両方は整数である。Ｍは、Ｎと同じであってよく、又は異なっていてよい。いくつかの実施形態において、ＳＳ／ＰＢＣＨブロックリソースインジケータ（ＳＳＢＲＩ）を報告するためのビット数は、ｃｅｉｌ（ｌｏｇ２（Ｍ＋Ｎ））であってよい。
【００７３】
いくつかの実施形態において、端末機器２２０は、２つのＣＳＩ−ＲＳリソースセット／サブセットを設定することができる。第１ＣＳＩ−ＲＳリソースセット／サブセットは、Ｍ個のＣＳＩ−ＲＳリソースを備えることができ、第２ＣＳＩ−ＲＳリソースセット／サブセットは、Ｎ個のＣＳＩ−ＲＳリソースを備えることができる。ここで、ＭとＮの両方は整数である。Ｍは、Ｎと同じであってよく、又は異なっていてよい。いくつかの実施形態において、ＣＳＩ−ＲＳリソースインジケータ（ＣＲＩ）を報告するためのビット数は、ｃｅｉｌ（ｌｏｇ２（Ｍ＋Ｎ））であってよい。
【００７４】
いくつかの実施形態において、端末機器２２０は、ビーム管理のためのネットワーク機器に一定の数のＲＳＲＰ及びこれらに関連付けられたＳＳＢ／ＣＳＩ−ＲＳリソースインデックス（例えば、ＳＳＢＲＩ又はＣＲＩ）を報告するように設定されてよい。例えば、該数は、Ｘと表してよい。いくつかの実施形態において、報告されるＸ個のＳＳＢ／ＣＳＩ−ＲＳリソース（Ｘ個のＲＳＲＰに対応する）は、異なるＳＳＢ／ＣＳＩ−ＲＳリソースセットからのものであってよい。例えば、Ｘ個のＳＳＢ／ＣＳＩ−ＲＳリソースの内のＸ１個のリソースは、第１グループのＳＳＢ／ＣＳＩ−ＲＳリソースからのものであってよく、Ｘ個のＳＳＢ／ＣＳＩ−ＲＳリソースの内のＸ２個のリソースは、第２グループのＳＳＢ／ＣＳＩ−ＲＳリソースからのものであってよい。ここで、Ｘ１＋Ｘ２＝Ｘである。第１グループのＳＳＢ／ＣＳＩ−ＲＳリソース及び第２グループのＳＳＢ／ＣＳＩ−ＲＳリソースは、２つの異なるＳＳＢ／ＣＳＩ−ＲＳリソースセットに含めてよい。端末機器２２０は、ネットワーク機器に、第１グループのＲＳＲＰからのＸ１個のＲＳＲＰ及び第１グループのＳＳＢ／ＣＳＩ−ＲＳリソースからのＸ１個のリソースのそれぞれのインデックスを報告する必要となる可能性がある。さらに、端末機器２２０は、ネットワーク機器に、第２グループのＲＳＲＰからのＸ２個のＲＳＲＰ及び第２グループのＳＳＢ／ＣＳＩ−ＲＳリソースからのＸ２個のリソースのそれぞれのインデックスを報告する可能性もある。
【００７５】
いくつかの実施形態において、第１グループのＲＳＲＰ及び第２グループのＲＳＲＰの中の最大ＲＳＲＰに関連付けられたＳＳＢ／ＣＳＩ−ＲＳリソースについて、端末機器２２０は、ＲＳＲＰの絶対値を報告することができる。第１グループのＳＳＢ／ＣＳＩ−ＲＳリソース及び第２グループのＳＳＢ／ＣＳＩ−ＲＳリソースの中の残りのＳＳＢ／ＣＳＩ−ＲＳリソースについて、端末機器２２０は、各ＲＳＲＰと最大ＲＳＲＰとの差分値を報告することができる。さらに、最大ＲＳＲＰが第１グループのＲＳＲＰからのものであるか、第２グループのＲＳＲＰからのものであるかを示すために、もう一つのビットを使用することができる。これにより、ビーム報告によるオーバーヘッドを減少することができる。例えば、ＲＳＲＰの絶対値を報告するためのビット数は、７であってよく、ＲＳＲＰの差分値の中の各差分値を報告するためのビット数は、４であってよい。別の例示として、ＳＳＢ／ＣＳＩ−ＲＳリソースが第１グループのＳＳＢ／ＣＳＩ−ＲＳリソースからのものであれば、ＳＳ／ＰＢＣＨブロック又はＣＳＩ−ＲＳリソースインジケータ（ＳＳＢＲＩ／ＣＲＩ）のためのビット数は、ｃｅｉｌ（ｌｏｇ２Ｍ）であってよく、ＳＳＢ／ＣＳＩ−ＲＳリソースが第２グループのＳＳＢ／ＣＳＩ−ＲＳリソースからのものであれば、ＳＳ／ＰＢＣＨブロック又はＣＳＩ−ＲＳリソースインジケータ（ＳＳＢＲＩ／ＣＲＩ）のためのビット数は、ｃｅｉｌ（ｌｏｇ２Ｎ）であってよい。
【００７６】
図７は、本開示のいくつかの実施形態による例示的ビームレポート７００を示す。図７に示すように、フィールド７１０は、最大ＲＳＲＰが第１グループのＲＳＲＰからのものであるか、第２グループのＲＳＲＰからのものであるかを示すことに用いることができる。フィールド７１０のサイズは１ビットであってよい。例えば、フィールド７１０の値が「０」であることは、最大ＲＳＲＰが第１グループのＲＳＲＰからのものであることを示すことができる。フィールド７１０の値が「１」であることは、最大ＲＳＲＰが第２グループのＲＳＲＰからのものであることを示すことができる。図７に示す例示において、フィールド７１０の値が「０」であることと仮定している。即ち、最大ＲＳＲＰは第１グループのＲＳＲＰからのものである。フィールド７２０−１〜７２０−Ｘ１は、第１グループのＳＳＢ／ＣＳＩ−ＲＳリソースの中の報告されるＸ１個のリソースに対応するインデックスを示すことに用いることができ、各フィールドが、ｃｅｉｌ（ｌｏｇ２Ｍ）ビットのサイズを有することができる。フィールド７３０−１〜７３０−Ｘ２は、第２グループのＳＳＢ／ＣＳＩ−ＲＳの中の報告されるＸ２個のリソースに対応するインデックスを示すことに用いることができ、各フィールドが、ｃｅｉｌ（ｌｏｇ２Ｎ）ビットのサイズを有することができる。フィールド７４０−１〜７４０−Ｘ１は、第１グループのＲＳＲＰの中の報告されるＸ１個のＲＳＲＰを示すことに用いることができ、フィールド７５０−１〜７５０−Ｘ２は、第２グループのＲＳＲＰの中の報告されるＸ２個のＲＳＲＰを示すことに用いることができる。例えば、フィールド７４０−１は、最大ＲＳＲＰの絶対値を示すことに用いることができ、７ビットのサイズを有することができる。フィールド７４０−２〜７４０−Ｘ１及び７５０−１〜７５０−Ｘ２は、ＲＳＲＰと最大ＲＳＲＰとの差分値を示すことに用いることができ、各フィールドが４ビットのサイズを有することができる。
【００７７】
選択的に、いくつかの実施形態において、第１グループのＲＳＲＰからの第１ＲＳＲＰに関連付けられたＳＳＢ／ＣＳＩ−ＲＳリソースについて、端末機器２２０は、ＲＳＲＰの絶対値を報告することができる。第１ＲＳＲＰは、第１グループのＲＳＲＰの中の最大ＲＳＲＰであってよい。第１グループのＳＳＢ／ＣＳＩ−ＲＳリソース及び第２グループのＳＳＢ／ＣＳＩ−ＲＳリソースの中の残りのＳＳＢ／ＣＳＩ−ＲＳリソースについて、端末機器２２０は、ＲＳＲＰの差分値を報告することができる。例えば、端末機器２２０は、第２グループのＲＳＲＰからの第２ＲＳＲＰと第１ＲＳＲＰとの差分値を示すことができ、第２ＲＳＲＰは、第２グループのＲＳＲＰの中の最大ＲＳＲＰであってよい。端末機器２２０は、第１グループのＲＳＲＰからの第３ＲＳＲＰと第１ＲＳＲＰとの差分値及び第２グループのＲＳＲＰからの第４ＲＳＲＰと第１ＲＳＲＰ又は第２ＲＳＲＰとの差分値を示すことができる。第２グループのＲＳＲＰの中の最大ＲＳＲＰ（即ち、第２ＲＳＲＰ）が第１ＲＳＲＰより大きい又は小さいことができるから、第２ＲＳＲＰの差分値は、負又は正であってよい。いくつかの実施形態において、少なくとも第２グループのＲＳＲＰからの第２ＲＳＲＰについて、第２ＲＳＲＰについての差分値の指示に用いられるビット数は、他の差分値と異なっていてよい。これにより、ビーム報告によるオーバーヘッドを減少することができる。
【００７８】
図８は、本開示のいくつかの実施形態による例示的ビームレポート８００を示す。図８に示すように、フィールド８１０−１〜８１０−Ｘ１は、第１グループのＳＳＢ／ＣＳＩ−ＲＳリソースの中の報告されるＸ１個のリソースに対応するインデックスを示すことに用いることができ、各フィールドがｃｅｉｌ（ｌｏｇ２Ｍ）ビットのサイズを有することができる。フィールド８２０−１〜８２０−Ｘ２は、第２グループのＳＳＢ／ＣＳＩ−ＲＳの中の報告されるＸ２個のリソースに対応するインデックスを示すことに用いることができ、各フィールドがｃｅｉｌ（ｌｏｇ２Ｎ）ビットのサイズを有することができる。フィールド８３０−１〜８３０−Ｘ１は、第１グループのＲＳＲＰの中の報告されるＸ１個のＲＳＲＰを示すことに用いることができ、フィールド８４０−１〜８４０−Ｘ２は、第２グループのＲＳＲＰの中の報告されるＸ２個のＲＳＲＰを示すことに用いることができる。例えば、フィールド８３０−１は、第１グループのＲＳＲＰの中の最大ＲＳＲＰ（即ち、第１ＲＳＲＰ）の絶対値を示すことに用いることができ、７ビットのサイズを有することができる。フィールド８４０−１は、第２グループのＲＳＲＰの中の最大ＲＳＲＰ（即ち、第２ＲＳＲＰ）と第１ＲＳＲＰとの差分値を示すことに用いることができ、Ｐビットのサイズを有することができる。例えば、Ｐ＞４且つＰ≦７である。即ち、Ｐは、５、６又は７であってよい。フィールド８３０−２〜８３０−Ｘ１は、第１グループのＲＳＲＰからのＲＳＲＰと第１ＲＳＲＰとの差分値を示すことに用いることができ、各フィールドが４ビットのサイズを有することができる。フィールド８４０−２〜８４０−Ｘ２は、第１ＲＳＲＰ又は第２ＲＳＲＰと各ＲＳＲＰとの差分値を示すことに用いることができ、各フィールドが４ビットのサイズを有することができる。
【００７９】
いくつかの実施形態において、第２グループのＲＳＲＰからのＲＳＲＰと第１ＲＳＲＰとの差分値及び第１グループのＲＳＲＰからのＲＳＲＰと第１ＲＳＲＰとの差分値は、異なるパラメータに関連付けることができる。例えば、このようなパラメータは、正の差分値又は負の差分値、差分値を決定するためのステップサイズ、及び差分値の中の最大値のうちの少なくとも１つを備えることができる。いくつかの実施形態において、第１グループのＲＳＲＰからのＲＳＲＰと第１ＲＳＲＰとの差分値を決定するためのステップサイズは、２ｄＢであってよく、第２グループのＲＳＲＰからのＲＳＲＰと第１ＲＳＲＰとの差分値を決定するためのステップサイズは、ＹｄＢであってよく、ここでＹ＞２である。例えば、Ｙは、３、４又は５であってよい。いくつかの実施形態において、第１グループのＲＳＲＰからのＲＳＲＰと第１ＲＳＲＰとのすべての差分値は、非負又は非正であってよい。しかしながら、第２グループのＲＳＲＰからのＲＳＲＰと第１ＲＳＲＰとの差分値は、正の値、負の値及び０を備えることができる。いくつかの実施形態において、第１グループのＲＳＲＰからのＲＳＲＰと第１ＲＳＲＰとの差分値の中の最大値はＺ１であってよく、第２グループのＲＳＲＰからのＲＳＲＰと第１ＲＳＲＰとの差分値の中の最大値はＺ２であってよい。いくつかの実施形態において、Ｚ１はＺ２と異なっていてよい。例えば、Ｚ１＞Ｚ２である。
【００８０】
選択的に、いくつかの実施形態において、第１グループのＲＳＲＰからの第１ＲＳＲＰに関連付けられたＳＳＢ／ＣＳＩ−ＲＳリソースについて、端末機器２２０は、ＲＳＲＰの絶対値を報告することができる。第１ＲＳＲＰは、第１グループのＲＳＲＰの中の最大ＲＳＲＰであってよい。第１グループのＳＳＢ／ＣＳＩ−ＲＳリソース及び第２グループのＳＳＢ／ＣＳＩ−ＲＳリソースの中の残りのＳＳＢ／ＣＳＩ−ＲＳリソースについて、端末機器２２０は、ＲＳＲＰの差分値を報告することができる。例えば、端末機器２２０は、第２グループのＲＳＲＰからの第２ＲＳＲＰと第１ＲＳＲＰとの差分値を示すことができる。第２ＲＳＲＰは、第２グループのＲＳＲＰの中の最大ＲＳＲＰであってよい。端末機器２２０は、第１グループのＲＳＲＰからの第３ＲＳＲＰと第１ＲＳＲＰとの差分値及び第２グループのＲＳＲＰからの第４ＲＳＲＰと第１ＲＳＲＰとの差分値を示すこともできる。第２グループのＲＳＲＰの中の最大ＲＳＲＰ（即ち、第２ＲＳＲＰ）は、第１ＲＳＲＰより大きい又は小さいことができるために、第２ＲＳＲＰの差分値は、負又は正であってよい。いくつかの実施形態において、少なくとも第２グループのＲＳＲＰからの第２ＲＳＲＰについて、第１ＲＳＲＰが第２ＲＳＲＰより大きいか否かを示すために、もう一つのビットを使用することができる。これにより、ビーム報告によるオーバーヘッドを減少することができる。
【００８１】
図９は、本開示のいくつかの実施形態による例示的ビームレポート９００を示す。図９に示すように、フィールド９１０−１〜９１０−Ｘ１は、第１グループのＳＳＢ／ＣＳＩ−ＲＳリソースの中の報告されるＸ１個のリソースに対応するインデックスを示すことに用いることができ、各フィールドがｃｅｉｌ（ｌｏｇ２Ｍ）ビットのサイズを有することができる。フィールド９２０−１〜９２０−Ｘ２は、第２グループのＳＳＢ／ＣＳＩ−ＲＳの中の報告されるＸ２個のリソースに対応するインデックスを示すことに用いることができ、各フィールドがｃｅｉｌ（ｌｏｇ２Ｎ）ビットのサイズを有することができる。フィールド９３０−１〜９３０−Ｘ１は、第１グループのＲＳＲＰの中の報告されるＸ１個のＲＳＲＰを示すことに用いることができ、フィールド９４０−１〜９４０−Ｘ２は、第２グループのＲＳＲＰの中の報告されるＸ２個のＲＳＲＰを示すことに用いることができる。また、フィールド９５０は、第１グループのＲＳＲＰの中の最大ＲＳＲＰが第２グループのＲＳＲＰの中の最大ＲＳＲＰより大きいか否かを示すことに用いることができる。例えば、フィールド９３０−１は、第１グループのＲＳＲＰの中の最大ＲＳＲＰ（即ち、第１ＲＳＲＰ）の絶対値を示すことに用いることができ、７ビットのサイズを有することができる。フィールド９４０−１は、第２グループのＲＳＲＰの中の最大ＲＳＲＰ（即ち、第２ＲＳＲＰ）と第１ＲＳＲＰとの差分値を示すことに用いることができ、４ビットのサイズを有することができる。フィールド９３０−２〜９３０−Ｘ１及び８４０−２〜８４０−Ｘ２は、第１グループのＲＳＲＰ及び第２グループのＲＳＲＰからのＲＳＲＰと第１ＲＳＲＰとの差分値を示すことに用いることができ、各フィールドが４ビットのサイズを有することができる。
【００８２】
選択的に、いくつかの実施形態において、第１グループのＲＳＲＰからの第１ＲＳＲＰに関連付けられたＳＳＢ／ＣＳＩ−ＲＳリソースについて、端末機器２２０は、ＲＳＲＰの絶対値を報告することができる。第１ＲＳＲＰは、第１グループのＲＳＲＰの中の最大ＲＳＲＰであってよい。第２グループのＲＳＲＰからの第２ＲＳＲＰに関連付けられたＳＳＢ／ＣＳＩ−ＲＳリソースについて、端末機器２２０は、ＲＳＲＰの絶対値を報告することができ、第２ＲＳＲＰは、第２グループのＲＳＲＰの中の最大ＲＳＲＰであってよい。第１グループのＳＳＢ／ＣＳＩ−ＲＳリソースの中の残りのＳＳＢ／ＣＳＩ−ＲＳリソースについて、端末機器２２０は、ＲＳＲＰと第１ＲＳＲＰとの差分値を報告することができる。第２グループのＳＳＢ／ＣＳＩ−ＲＳリソースの中の残りのＳＳＢ／ＣＳＩ−ＲＳリソースについて、端末機器２２０は、ＲＳＲＰと第２ＲＳＲＰとの差分値を報告することができる。これにより、ビーム報告によるオーバーヘッドを減少することができる。
【００８３】
図１０は、本開示のいくつかの実施形態による例示的ビームレポート１０００を示す。図１０に示すように、フィールド１０１０−１〜１０１０−Ｘ１は、第１グループのＳＳＢ／ＣＳＩ−ＲＳリソースの中の報告されるＸ１個のリソースに対応するインデックスを示すことに用いることができ、各フィールドがｃｅｉｌ（ｌｏｇ２Ｍ）ビットのサイズを有することができる。フィールド１０２０−１〜１０２０−Ｘ２は、第２グループのＳＳＢ／ＣＳＩ−ＲＳの中の報告されるＸ２個のリソースに対応するインデックスを示すことに用いることができ、各フィールドがｃｅｉｌ（ｌｏｇ２Ｎ）ビットのサイズを有することができる。フィールド１０３０−１〜１０３０−Ｘ１は、第１グループのＲＳＲＰの中の報告されるＸ１個のＲＳＲＰを示すことに用いることができ、フィールド１０４０−１〜１０４０−Ｘ２は、第２グループのＲＳＲＰの中の報告されるＸ２個のＲＳＲＰを示すことに用いることができる。例えば、フィールド１０３０−１は、第１グループのＲＳＲＰの中の最大ＲＳＲＰ（即ち、第１ＲＳＲＰ）の絶対値を示すことに用いることができ、７ビットのサイズを有することができる。フィールド１０４０−１は、第２グループのＲＳＲＰの中の最大ＲＳＲＰ（即ち、第２ＲＳＲＰ）の絶対値を示すことに用いることができ、７ビットのサイズを有することができる。フィールド１０３０−２〜１０３０−Ｘ１は、第１グループのＲＳＲＰからのＲＳＲＰと第１ＲＳＲＰとの差分値を示すことに用いることができ、各フィールドが４ビットのサイズを有することができる。フィールド１０４０−２〜１０４０−Ｘ２は、第２グループのＲＳＲＰからのＲＳＲＰと第２ＲＳＲＰとの差分値を示すことに用いることができ、各フィールドが４ビットのサイズを有することができる。
【００８４】
いくつかの実施形態において、端末機器２２０は、ビーム管理のためのネットワーク機器に一定の数のＲＳＲＰ及びこれらに関連付けられたＳＳＢ／ＣＳＩ−ＲＳリソースインデックスを報告するように設定されてよい。例えば、該数は、Ｘと表してよい。いくつかの実施形態において、報告されるＸ個のＳＳＢ／ＣＳＩ−ＲＳリソース（Ｘ個のＲＳＲＰに対応する）は、同一のＳＳＢ／ＣＳＩ−ＲＳリソースセットからのものであってよい。例えば、Ｘ個のＳＳＢ／ＣＳＩ−ＲＳリソースの内のＸ１個のリソースは、第１グループのＳＳＢ／ＣＳＩ−ＲＳリソースからのものであってよく、Ｘ個のＳＳＢ／ＣＳＩ−ＲＳリソースの内のＸ２個のリソースは、第２グループのＳＳＢ／ＣＳＩ−ＲＳリソースからのものであってよい。ここで、Ｘ１＋Ｘ２＝Ｘである。第１グループのＳＳＢ／ＣＳＩ−ＲＳリソース及び第２グループのＳＳＢ／ＣＳＩ−ＲＳリソースは、同一のＳＳＢ／ＣＳＩ−ＲＳリソースセットの異なるサブセットである。端末機器２２０は、ネットワーク機器に、第１グループのＲＳＲＰからのＸ１個のＲＳＲＰ及び第１グループのＳＳＢ／ＣＳＩ−ＲＳリソースからのＸ１個のリソースのそれぞれのインデックスを報告する必要となる可能性がある。さらに、端末機器２２０は、ネットワーク機器に、第２グループのＲＳＲＰからのＸ２個のＲＳＲＰ及び第２グループのＳＳＢ／ＣＳＩ−ＲＳリソースからのＸ２個のリソースのそれぞれのインデックスを報告する可能性もある。
【００８５】
いくつかの実施形態において、第１グループのＲＳＲＰ及び第２グループのＲＳＲＰの中の最大ＲＳＲＰに関連付けられたＳＳＢ／ＣＳＩ−ＲＳリソースについて、端末機器２２０は、ＲＳＲＰの絶対値を報告することができる。第１グループのＳＳＢ／ＣＳＩ−ＲＳリソース及び第２グループのＳＳＢ／ＣＳＩ−ＲＳリソースの中の残りのＳＳＢ／ＣＳＩ−ＲＳリソースについて、端末機器２２０は、ＲＳＲＰと最大ＲＳＲＰとの差分値を報告することができる。
【００８６】
図１１は、本開示のいくつかの実施形態による例示的ビームレポート１１００を示す。図１１に示すように、フィールド１１１０−１〜１１１０−Ｘは、第１グループのＳＳＢ／ＣＳＩ−ＲＳリソース及び第２グループのＳＳＢ／ＣＳＩ−ＲＳリソースの中の報告されるＸ個のリソースに対応するインデックスを示すことに用いることができ、各フィールドがｃｅｉｌ（ｌｏｇ２（Ｎ＋Ｍ））ビットのサイズを有することができる。フィールド１１２０−１〜１１２０−Ｘは、第１グループのＲＳＲＰ及び第２グループのＲＳＲＰの中の報告されるＸ個のＲＳＲＰを示すことに用いることができる。例えば、フィールド１１２０−１は、最大ＲＳＲＰの絶対値を示すことに用いることができ、７ビットのサイズを有することができる。フィールド１１２０−２〜１１２０−Ｘは、ＲＳＲＰと最大ＲＳＲＰとの差分値を示すことに用いることができ、各フィールドが４ビットのサイズを有することができる。
【００８７】
いくつかの実施形態において、マルチＴＲＰビーム管理について、複数のＳＳＢ及び／又はＣＳＩ−ＲＳリソースは、端末機器２２０に設定することができる。例えば、図２に示すネットワークにおいて、初期アクセス手順期間中、端末機器２２０は、第２ネットワーク機器２１０−２にアクセスすることができ、ＳＳＢリソースセット（「初期アクセスＳＳＢリソース」とも称される）は、第２ネットワーク機器２１０−２により端末機器２２０に設定することができる。初期アクセス後、第１ネットワーク機器２１０−１は、マルチＴＲＰビーム管理用のいくつかの追加ＳＳＢリソースを設定することができる。いくつかの実施形態において、初期アクセスＳＳＢリソースセットのサブセットのみは、第１ネットワーク機器２１０−１により、マルチＴＲＰビーム管理のために設定することができる。例えば、初期アクセスＳＳＢリソースセットは、総計Ｒ個のＳＳＢリソースを備えることができる。例えば、Ｒ個のＳＳＢリソースの中のＱ個のＳＳＢリソースは、マルチＴＲＰビーム管理のために設定することができ、ここでＱ≦Ｒである。
【００８８】
いくつかの実施形態において、ビーム報告について、異なるネットワーク機器からのビームのいくつかの組合せが報告されることは、制限することができる、例えば、図１に示す例示において、ＴＲＰ１２０−１からのビーム１２１−１とＴＲＰ１２０−２からのビーム１２１−４との組合せが報告されることは、制限することができる。これにより、ビーム報告によるオーバーヘッドを減少することができる。
【００８９】
図１２は、本開示のいくつかの実施形態による例示的方法１２００のフローチャートである。方法１２００は、図２に示すネットワーク機器２１０（例えば、ネットワーク機器２１０−１）において実現することができる。議論しやすいように、図２を参照しつつネットワーク機器２１０−１の観点から方法１２００を説明する。
【００９０】
ブロック１２１０において、第１ネットワーク機器（例えば、ネットワーク機器２１０−１）は、第１ネットワーク機器からの第１グループのビームを決定するための、端末機器に用いられる第１グループのリソースを決定する。いくつかの実施形態において、第１グループのリソースは、第２ネットワーク機器からの第２ビームを決定するための第２グループのリソースと異なっていてよく、第２グループのリソースは、第２ネットワーク機器（例えば、ネットワーク機器２１０−２）により端末機器に設定される。
【００９１】
いくつかの実施形態において、第１ネットワーク機器は、第１グループのリソース及び第２グループのリソースを時間領域、周波数領域及び／又はコード領域における異なるリソースの割当に関連付けるように、第１グループのリソースを決定する。
【００９２】
いくつかの実施形態において、第１ネットワーク機器は、第１グループのリソース及び第２グループのリソースを異なるセルＩＤに関連付けるように、第１グループのリソースを決定する。
【００９３】
いくつかの実施形態において、第１ネットワーク機器は、第１グループのリソース及び第２グループのリソースを時間領域における異なるオフセットに関連付けるように、第１グループのリソースを決定する。
【００９４】
いくつかの実施形態において、第１ネットワーク機器は、第１グループのリソース及び第２グループのリソースを周波数領域における異なるオフセットに関連付けるように、第１グループのリソースを決定する。
【００９５】
いくつかの実施形態において、第１グループのリソース及び第２グループのリソースは、ＳＳＢリソースであり、同一のＳＳＢリソースセットに含まれる。
【００９６】
いくつかの実施形態において、第１グループのリソース及び第２グループのリソースは、ＳＳＢリソースであり、異なるＳＳＢリソースセットに含まれる。
【００９７】
いくつかの実施形態において、第１ネットワーク機器は、第１送受信ポイント（ＴＲＰ）であり、第２ネットワーク機器は、第２ＴＲＰであり、第１ＴＲＰ及び第２ＴＲＰが同一の基地局に結合される。
【００９８】
ブロック１２２０において、第１ネットワーク機器は端末機器に第１グループのリソースを設定する。
【００９９】
ブロック１２３０において、第１ネットワーク機器は第１グループのビームを使用して、第１グループのリソースにて端末機器に複数の同期及び／又は参照信号を送信する。
【０１００】
図１３は、本開示のいくつかの実施形態による例示的方法１３００のフローチャートである。方法１３００は、図２に示す端末機器２２０において実現することができる。議論しやすいように、図２を参照しつつ端末機器２２０の観点から方法１３００を説明する。
【０１０１】
ブロック１３１０において、第１ネットワーク機器（例えば、ネットワーク機器２１０−１）からの第１グループのビームを決定するための第１グループのＳＳＢ／ＣＳＩ−ＲＳリソースを設定することに応じて、端末機器は、第１グループのリソースにて送信された複数の同期及び／又は参照信号を検出することにより、第１グループのビームに関連付けられた第１グループの参照信号受信電力（ＲＳＲＰ）を決定する。いくつかの実施形態において、第１グループのリソースは、第２ネットワーク機器からの第２グループのビームを決定するための第２グループのリソースと異なっていてよく、第２グループのリソースは第２ネットワーク機器（例えば、ネットワーク機器２１０−２）により端末機器に設定される。
【０１０２】
ブロック１３２０において、端末機器は第１ネットワーク機器に決定の結果を示す。
【０１０３】
いくつかの実施形態において、第１グループのリソース及び第２グループのリソースは、時間領域、周波数領域及び／又はコード領域における異なるリソースの割当に関連付けられる。
【０１０４】
いくつかの実施形態において、第１グループのリソース及び第２グループのリソースは、異なるセルＩＤに関連付けられる。
【０１０５】
いくつかの実施形態において、第１グループのリソース及び第２グループのリソースは、時間領域における異なるオフセットに関連付けられる。
【０１０６】
いくつかの実施形態において、第１グループのリソース及び第２グループのリソースは、周波数領域における異なるオフセットに関連付けられる。
【０１０７】
いくつかの実施形態において、第１グループのリソース及び第２グループのリソースは、ＳＳＢリソースであり、同一のリソースセットに含まれる。
【０１０８】
いくつかの実施形態において、第１グループのリソース及び第２グループのリソースは、ＳＳＢリソースであり、異なるスセットに含まれる。
【０１０９】
いくつかの実施形態において、第１ネットワーク機器は、第１送受信ポイント（ＴＲＰ）であり、第２ネットワーク機器は、第２ＴＲＰであり、第１ＴＲＰ及び第２ＴＲＰが同一の基地局に結合される。
【０１１０】
いくつかの実施形態において、端末機器はさらに、第２グループのリソースにて送信された複数の同期及び／又は参照信号を検出することにより、第２グループのビームに関連付けられた第２グループのＲＳＲＰを決定することができる。
【０１１１】
いくつかの実施形態において、第１ネットワーク機器に決定の結果を示すことは、第１ネットワーク機器に第１グループのＲＳＲＰからの第１数のＲＳＲＰ及び第２グループのＲＳＲＰからの第２数のＲＳＲＰを示すことを備える。
【０１１２】
いくつかの実施形態において、第１グループのＲＳＲＰからの第１数のＲＳＲＰ及び第２グループのＲＳＲＰからの第２数のＲＳＲＰを示すことは、第１グループのＲＳＲＰ及び第２グループのＲＳＲＰの中の最大ＲＳＲＰの絶対値を示すことと、最大ＲＳＲＰと第１グループのＲＳＲＰ及び第２グループのＲＳＲＰからの少なくとも１つのＲＳＲＰとの少なくとも１つの差分値を示すことと、最大ＲＳＲＰが第１グループのＲＳＲＰからのものか第２グループのＲＳＲＰからのものかを示すことと、を備える。
【０１１３】
いくつかの実施形態において、第１グループのＲＳＲＰからの第１数のＲＳＲＰ及び第２グループのＲＳＲＰからの第２数のＲＳＲＰを示すことは、第１グループのＲＳＲＰからの第１グループのＲＳＲＰの中の最大ＲＳＲＰである第１ＲＳＲＰの絶対値を示すことと、第２グループのＲＳＲＰからの第２グループのＲＳＲＰの中の最大ＲＳＲＰである第２ＲＳＲＰと第１ＲＳＲＰとの差分値を示すことと、第１グループのＲＳＲＰからの第３ＲＳＲＰと第１ＲＳＲＰとの差分値を示すことと、第２グループのＲＳＲＰからの第４ＲＳＲＰと、第１ＲＳＲＰ又は第２ＲＳＲＰとの差分値を示すことを備える。
【０１１４】
いくつかの実施形態において、第１グループのＲＳＲＰからの第１数のＲＳＲＰ及び第２グループのＲＳＲＰからの第２数のＲＳＲＰを示すことは、第１グループのＲＳＲＰからの第１グループのＲＳＲＰの中の最大ＲＳＲＰである第１ＲＳＲＰの絶対値を示すことと、第２グループのＲＳＲＰからの第２グループのＲＳＲＰの中の最大ＲＳＲＰである第２ＲＳＲＰと第１ＲＳＲＰとの差分値を示すことと、第１グループのＲＳＲＰからの第３ＲＳＲＰと第１ＲＳＲＰとの差分値を示すことと、第２グループのＲＳＲＰからの第４ＲＳＲＰと第１ＲＳＲＰとの差分値を示すことと、第１ＲＳＲＰが第２ＲＳＲＰより大きいかを示すこととを備える。
【０１１５】
いくつかの実施形態において、第１グループのＲＳＲＰからの第１数のＲＳＲＰ及び第２グループのＲＳＲＰからの第２数のＲＳＲＰを示すことは、第１グループのＲＳＲＰからの第１グループのＲＳＲＰの中の最大ＲＳＲＰである第１ＲＳＲＰの絶対値を示すことと、第２グループのＲＳＲＰからの第２グループのＲＳＲＰの中の最大ＲＳＲＰである第２ＲＳＲＰの絶対値を示すことと、第１グループのＲＳＲＰからの第３ＲＳＲＰと第１ＲＳＲＰとの差分値を示すことと、第２グループのＲＳＲＰからの第４ＲＳＲＰと第２ＲＳＲＰとの差分値を示すこととを備える。
【０１１６】
本開示の実施形態は、ビーム管理に用いられる解決手段を提供していることが理解できる。該解決手段を用いることで、マルチＴＲＰ／パネル送信のためのビーム報告をサポートすることができる。また、ビーム報告によるオーバーヘッドを減少することができる。
【０１１７】
図１４は、本開示の実施形態を実現するのに適したデバイス１４００の概略ブロック図である。デバイス１４００は、図２に示すネットワーク機器２１０又は端末機器２２０の別の例示の実施形態であるとみなすことができる。したがって、デバイス１４００は、ネットワーク機器２１０若しくは端末機器２２０の少なくとも一部として実現することができ、又はネットワーク機器２１０若しくは端末機器２２０の少なくとも一部において実現することができる。
【０１１８】
図に示すように、デバイス１４００は、プロセッサ１４１０、プロセッサ１４１０に結合されるメモリ１４２０、プロセッサ１４１０に結合される適切な送信機（ＴＸ）及び受信機（ＲＸ）１４４０、並びにＴＸ／ＲＸ１４４０に結合される通信インタフェースを含む。メモリ１４１０は、プログラム１４３０の少なくとも一部を記憶する。ＴＸ／ＲＸ１４４０は双方向通信に用いられる。ＴＸ／ＲＸ１４４０は、通信を促進する少なくとも１つのアンテナを有し、実際には本願で述べたアクセスノードは、複数のアンテナを有することができる。通信インタフェースは、他のネットワーク部材と通信を行う際に必要な任意のインタフェース、例えば、ｅＮＢ間の双方向通信用のＸ２インタフェース、Mobility Management Entity（ＭＭＥ）／サービングゲートウェイ（Ｓ−ＧＷ）とｅＮＢとの間の通信用のＳ１インタフェース、ｅＮＢと中継ノード（ＲＮ）との間の通信用のＵｎインタフェース、又はｅＮＢと端末機器との間の通信用のＵｕインタフェースを表すことができる。
【０１１９】
プログラム１４３０がプログラム指令を含むと仮定すると、これらのプログラム指令は、関連付けるプロセッサ１４１０により実行され、これにより、デバイス１４００は、本明細書で図２〜図１３を参照して論じた本開示の実施形態に基づき操作することができるようになる。本明細書の実施形態は、デバイス１４００のプロセッサ１４１０により実行可能なコンピュータソフトウェア、ハードウェア、又はソフトウェア及びハードウェアの組合せにより実現することができる。プロセッサ１４１０は、本開示の各実施形態を実現するように設定することができる。また、プロセッサ１４１０及びメモリ１４２０の組合せは、本開示の各実施形態を実現するのに適した処理手段１４５０を構成することができる。
【０１２０】
メモリ１４２０は、ローカルの技術ネットワークに適した任意のタイプであってよく、任意の適切なデータ記憶技術により実現することができる。例として、非一時的なコンピュータ可読記憶媒体、半導体ベースの記憶デバイス、磁気記憶デバイス及びシステム、光学記憶デバイス及びシステム、固定メモリ及び取り外し可能メモリ等が挙げられるが、これらに限定されない。デバイス１４００には１つのメモリ１４２０しか示されていないが、デバイス１４００には複数の物理上分離されるメモリモジュールを設置することができる。プロセッサ１４１０は、ローカルの技術ネットワークに適した任意のタイプであってよく、例として、汎用コンピュータ、専用コンピュータ、マイクロプロセッサ、デジタル信号処理器（ＤＳＰ）、及びマルチコアプロセッサ構成に基づくプロセッサのうち、一つ又は複数を含むことができるが、これらに限定されない。デバイス１４００は複数のプロセッサ、例えば、マスタープロセッサと同期するクロックに時間的に従属する特定用途向け集積回路チップを有することができる。
【０１２１】
通常、本開示の各実施形態は、ハードウェア若しくは専用回路、ソフトウェア、論理又はそれらの任意の組合せにより実現することができる。いくつかの態様はハードウェアによって実現し、他の態様はコントローラ、マイクロプロセッサ又は他のコンピューティングデバイスが実行するファームウェア又はソフトウェアによって実現することができる。本開示の実施形態の各態様はブロック図、フロー図として図示し説明し、又は他の図形によって示したが、理解すべき点として、本明細書に記載のブロック、装置、システム、技術又は方法は、例えば、ハードウェア、ソフトウェア、ファームウェア、専用回路若しくは論理、汎用ハードウェア若しくはコントローラ若しくは他のコンピューティングデバイス、又はそれらの組合せによって実現することができる。
【０１２２】
本開示はさらに、非一時的なコンピュータ可読記憶媒体に、有形記憶される少なくとも１つのコンピュータプログラム製品を提供する。該コンピュータプログラム製品は、コンピュータが実行可能な指令、例えば、プログラムモジュールに含まれるものを含む。該コンピュータが実行可能な指令は、対象の現実のプロセッサ又は仮想プロセッサ上のデバイスにおいて実行されて、図１２〜図１３を参考に上述したプロセス又は方法を実行することができる。通常、プログラムモジュールは、特定のタスクを実行するか、又は特定の抽象データタイプを実現するルーチン、プログラム、ライブラリ、オブジェクト、クラス、コンポーネント、データ構造等を含む。各実施形態において、プログラムモジュールの機能は、要望に応じて、プログラムモジュール間で組み合わせるか、又は分割することができる。プログラムモジュールに用いられるデバイスが実行可能な指令は、ローカルデバイス又は分散型デバイスにおいて実行することができる。分散型デバイスにおいて、プログラムモジュールはローカル及びリモートの記憶媒体に置くことができる。
【０１２３】
本開示の方法を実行するためのプログラムコードは、一種類又は複数種類のプログラミング言語の任意の組み合せにより記述することができる。これらのプログラムコードは、汎用コンピュータ、専用コンピュータ又はその他のプログラム可能なデータ処理装置のプロセッサ又はコントローラに提供可能であり、プログラムコードがプロセッサ又はコントローラによって実行されると、フロー図及び／又はブロック図に指定された機能／操作が実現される。プログラムコードは全てデバイス上で実行することができ、部分的にデバイス上で実行することができ、独立したソフトウェアパッケージとして実行することができ、デバイス上で部分的に実行するとともにリモートのデバイス上で部分的に実行することができ、又は全てリモートのデバイス若しくはサーバ上で実行することができる。
【０１２４】
上記プログラムコードは、デバイスが読み取り可能な媒体上で体現することができ、デバイスで読み取り可能な媒体は、指令実行システム、装置若しくはデバイスに使用のために供されるプログラム、又は、それらと結合して使用されるプログラムを含むか又は記憶することができる任意の有形媒体であり得る。デバイスで読み取り可能な媒体は、デバイスで読み取り可能な信号媒体又はデバイスで読み取り可能な記憶媒体であり得る。デバイスで読み取り可能な媒体は、電子、磁気、光学、電磁気、赤外線若しくは半導体のシステム、装置又はデバイス、又は前述の任意の適切な組み合せを含むことができるが、これらに限定されない。デバイスで読み取り可能な記憶媒体のさらに具体的な例には、一つ若しくは複数のケーブルの電気的接続、ポータブル・コンピュータ・ディスケット、ハードディスク、ランダムアクセスメモリ（ＲＡＭ）、リードオンリーメモリ（ＲＯＭ）、消去・書き込み可能なリードオンリーメモリ（ＥＰＲＯＭ又はフラッシュメモリ）、光ファイバ、携帯型光ディスクリードオンリーメモリ（ＣＤ−ＲＯＭ）、光学的記憶装置、磁気記憶装置、又は上述の任意の適切な組み合せが含まれる。
【０１２５】
なお、各操作について、特定の順序で説明を行ったが、所望の結果を得るために、こうした操作は、示された特定の順序で実行するか若しくは連続した順序で実行し、又は、図示された全ての操作を実行することが求められる、と理解されるべきではない。いくつかの場面では、複数のタスク及び並行処理が有利である可能性がある。同様に、上述の議論では、いくつかの特定の実現の詳細が含まれるが、これらは本開示の範囲について制限であると解釈されるべきではなく、特定の実施形態に特定される可能性がある特徴についての説明であると解釈されるべきである。個別の実施形態の文脈において説明したいくつかの特徴は、ある一つの実現形態において組み合わせて実現されてもよい。逆に、一つの実現形態の文脈において説明された各種特徴は、それぞれ、複数の実現形態において切り離して実現されるか、又は任意の適切なサブ的な組み合せにより実現されてもよい。
【０１２６】
本開示について、構造的特徴及び／又は方法・動作に特定される言葉で説明したが、添付の特許請求の範囲によって定義される本開示は、必ずしも上述の特定の特徴又は動作に限定されないと理解されるべきである。正確にいえば、上述した特定の特徴や動作は、請求項を実現する例示的形態として開示されたものである。
【図１】
2021534604.tif 000003
【図２】
2021534604.tif 000004
【図３】
2021534604.tif 000005
【図４】
2021534604.tif 000006
【図５】
2021534604.tif 000007
【図６】
2021534604.tif 000008
【図７】
2021534604.tif 000009
【図８】
2021534604.tif 000010
【図９】
2021534604.tif 000011
【図１０】
2021534604.tif 000012
【図１１】
2021534604.tif 000013
【図１２】
2021534604.tif 000014
【図１３】
2021534604.tif 000015
【図１４】
2021534604.tif 000016
【手続補正書】
【提出日】令和3年3月2日(2021.3.2)
【手続補正１】
【補正対象書類名】特許請求の範囲
【補正対象項目名】全文
【補正方法】変更
【補正の内容】
【特許請求の範囲】
【請求項１】
第１ネットワーク機器からの第１グループのビームを決定するための、端末機器に用いられる第１グループのリソースを決定することと、
前記端末機器に前記第１グループのリソースを設定することと、
前記第１グループのビームを使用して前記端末機器に前記第１グループのリソースにおける複数の同期及び／又は参照信号を送信することと、を備え、
前記第１グループのリソースは、第２ネットワーク機器からの第２グループのビームを決定するための第２グループのリソースと異なり、前記第２グループのリソースは前記第２ネットワーク機器により前記端末機器に設定される、前記第１ネットワーク機器において実現される方法。
【請求項２】
前記第１グループのリソースを決定することは、
前記第１グループのリソース及び前記第２グループのリソースを時間領域、周波数領域及び／又はコード領域における異なるリソースの割当に関連付けるように前記第１グループのリソースを決定することを備える、請求項１に記載の方法。
【請求項３】
前記第１グループのリソースを決定することは、
前記第１グループのリソース及び前記第２グループのリソースを異なるセルＩＤに関連付けるように前記第１グループのリソースを決定することを備える、請求項１に記載の方法。
【請求項４】
前記第１グループのリソースを決定することは、
前記第１グループのリソース及び前記第２グループのリソースを時間領域における異なるオフセットに関連付けるように前記第１グループのリソースを決定することを備える、請求項１に記載の方法。
【請求項５】
前記第１グループのリソースを決定することは、
前記第１グループのリソース及び前記第２グループのリソースを周波数領域における異なるオフセットに関連付けるように前記第１グループのリソースを決定することを備える、請求項１に記載の方法。
【請求項６】
前記第１グループのリソース及び前記第２グループのリソースは、同期信号ブロック（ＳＳＢ）リソースであり、同一のＳＳＢリソースセットに含まれる、請求項１に記載の方法。
【請求項７】
前記第１グループのリソース及び前記第２グループのリソースは、同期信号ブロック（ＳＳＢ）リソースであり、異なるＳＳＢリソースセットに含まれる、請求項１に記載の方法。
【請求項８】
前記第１ネットワーク機器は、第１送受信ポイント（ＴＲＰ）であり、前記第２ネットワーク機器は、第２ＴＲＰであり、前記第１ＴＲＰ及び前記第２ＴＲＰが同一の基地局に結合される、請求項１に記載の方法。
【請求項９】
第１ネットワーク機器からの第１グループのビームを決定するための第１グループのリソースを設定することに応じて、前記第１グループのリソースにて送信された複数の同期及び／又は参照信号を検出することにより、前記第１グループのビームに関連付ける第１グループの参照信号受信電力（ＲＳＲＰ）を決定することと、
前記第１ネットワーク機器に前記決定の結果を示すこと、を備え、
前記第１グループのリソースは、第２ネットワーク機器からの第２グループのビームを決定するための第２グループのリソースと異なり、前記第２グループのリソースは第２ネットワーク機器により端末機器に設定される、前記端末機器において実現される方法。
【請求項１０】
前記第１グループのリソース及び前記第２グループのリソースは、時間領域、周波数領域及び／又はコード領域における異なるリソースの割当に関連付けられる、請求項９に記載の方法。
【請求項１１】
前記第１グループのリソース及び前記第２グループのリソースは、異なるセルＩＤに関連付けられる、請求項９に記載の方法。
【請求項１２】
前記第１グループのリソース及び前記第２グループのリソースは、時間領域における異なるオフセットに関連付けられる、請求項９に記載の方法。
【請求項１３】
前記第１グループのリソース及び前記第２グループのリソースは、周波数領域における異なるオフセットに関連付けられる、請求項９に記載の方法。
【請求項１４】
前記第１グループのリソース及び前記第２グループのリソースは、同期信号ブロック（ＳＳＢ）リソースであり、同一のＳＳＢリソースセットに含まれる、請求項９に記載の方法。
【請求項１５】
前記第１グループのリソース及び前記第２グループのリソースは、同期信号ブロック（ＳＳＢ）リソースであり、異なるＳＳＢリソースセットに含まれる、請求項９に記載の方法。
【請求項１６】
前記第１ネットワーク機器は、第１送受信ポイント（ＴＲＰ）であり、前記第２ネットワーク機器は、第２ＴＲＰであり、前記第１ＴＲＰ及び前記第２ＴＲＰが同一の基地局に結合される、請求項９に記載の方法。
【請求項１７】
また、前記第２グループのリソースにて送信された複数の同期及び／又は参照信号を検出することにより、前記第２グループのビームに関連付ける第２グループのＲＳＲＰを決定することをさらに備える、請求項９に記載の方法。
【請求項１８】
前記第１ネットワーク機器に前記決定の前記結果を示すことは、
前記第１ネットワーク機器に前記第１グループのＲＳＲＰからの第１数のＲＳＲＰ及び前記第２グループのＲＳＲＰからの第２数のＲＳＲＰを示すことを備える、請求項１７に記載の方法。
【請求項１９】
前記第１グループのＲＳＲＰからの前記第１数のＲＳＲＰ及び前記第２グループのＲＳＲＰからの前記第２数のＲＳＲＰを示すことは、
前記第１グループのＲＳＲＰ及び前記第２グループのＲＳＲＰの中の最大ＲＳＲＰの絶対値を示すことと、
前記最大ＲＳＲＰと前記第１グループのＲＳＲＰ及び前記第２グループのＲＳＲＰからの少なくとも１つのＲＳＲＰとの少なくとも１つの差分値を示すことと、
前記最大ＲＳＲＰが前記第１グループのＲＳＲＰからのものか前記第２グループのＲＳＲＰからのものかを示すことと、を備える、請求項１８に記載の方法。
【請求項２０】
プロセッサと、
前記プロセッサに結合され指令が記憶されたメモリと
を備え、
前記指令が前記プロセッサにより実行された場合、
ネットワーク機器からの第１グループのビームを決定するための、端末機器に用いられる第１グループのリソースを決定することと、
前記端末機器に前記第１グループのリソースを設定することと、
前記第１グループのビームを使用して前記端末機器に前記第１グループのリソースにおける複数の同期及び／又は参照信号を送信することと、を備え、
前記第１グループのリソースは、他のネットワーク機器からの第２グループのビームを決定するための第２グループのリソースと異なり、前記第２グループのリソースは前記他のネットワーク機器により前記端末機器に設定されるネットワーク機器。
【国際調査報告】
2021534604.tif 000017
2021534604.tif 000018
2021534604.tif 000019